(57)【要約】  本開示は、浄水流を生産する逆浸透装置、ＲＯ装置を含む浄水装置および対応する方法に関するものである。提案された方法は、少なくとも１つの検出された流体特性に基づいて、浄水経路における浄水の少なくとも１つの流体特性を検出し、浄水経路における浄水の１つ以上の所定の基準を満たすように、再循環経路における水の流量を調節することを含む。本開示はまた、この方法を実施するコンピュータプログラムおよびコンピュータプログラム製品に関する。【選択図】図４ａ
2020524591.tif 000002
【特許請求の範囲】
【請求項１】
浄水を生産するための浄水装置（３００）であって、
―浄水流を生産するように配置された逆浸透装置（ＲＯ装置）（３０１）であって、供給水を受け入れるように配置された供給口（３０１ａ）および浄水出口（３０１ｂ）を含むＲＯ装置（３０１）と、
―供給水を前記供給口（３０１ａ）に送り出すように配置されたＲＯポンプ（４５０）と、
―前記浄水流の一部を前記ＲＯ装置（３０１）の下流の第１点から前記ＲＯ装置（３０１）の上流の第２点まで再循環させるように配置された再循環経路（３７５）と、
―浄水を前記浄水出口（３０１ｂ）から製品水ポート（１２８）に搬送するように配置された浄水経路（３７１）であって、前記再循環経路（３７５）の下流に配置され、製品水を前記製品水ポート（１２８）に搬送する製品水経路（３７１ｃ）を含む浄水経路（３７１）と、
―前記再循環経路（３７５）内の浄水の流量を調整するように配置された制御装置（３０５ａ）と、
―前記浄水経路（３７１）内の前記浄水の流体特性を検出するように配置された少なくとも１つの検出器（３０２、３０８、３０９、４１０）と、これらの少なくとも１つの検出器（３０８、３０９）が前記製品水経路（３７１ｃ）内の製品水の製品流体特性を検出するように配置され、
―前記少なくとも１つの検出器によって検出された前記流体特性に基づいて、前記再循環経路（３７５）内の前記浄水の前記流量を調節するように前記制御装置（３０５ａ）を制御し、前記少なくとも１つの検出器（３０８，３０９）によって検出された前記製品流体特性に基づいて、１つ以上の所定の製品水基準を満たすように前記製品水経路（３７１ｃ）内の製品水の製品流体特性を制御するように前記制御装置（３０５ａ）を制御する制御部（１１２）と、を備え、前記少なくとも１つの検出器（３０８、３０９）は流量センサ（３０９）を含み、前記流量センサ（３０９）によって検出された前記製品流体特性は前記製品水経路（３７１ｃ）内の製品水の流量であり、前記１つ以上の所定の製品水基準は前記製品水経路（３７１ｃ）内の製品水の前記流量が所定の流量に相当することを含む、浄水装置（３００）。
【請求項２】
前記少なくとも１つの検出器（３０８、３０９）は圧力センサ（３０８）を含み、前記圧力センサ（３０８）によって検出された前記製品流体特性は前記製品水経路（３７１ｃ）内の製品水の圧力であり、前記１以上の所定の製品水基準は、前記製品水経路（３７１ｃ）内の製品水の前記圧力が所定の上限圧力レベル未満に留まること、及び／又は、前記製品水経路（３７１ｃ）内の製品水の前記圧力が所定の圧力に相当することを含む、請求項１に記載の浄水装置（３００）。
【請求項３】
少なくとも１つのフィルタが前記製品水経路（３７１ｃ）を通って流れる製品水をろ過するように配置され、前記所定の上限圧力レベルが、前記少なくとも１つのフィルタ又は前記製品水経路（３７１ｃ）に配置された他の任意のコンポーネントの圧力許容レベルに相当する、請求項２に記載の浄水装置（３００）。
【請求項４】
前記制御部は、所定の量の水を生産するために、所定の時間帯の間に前記製品水ポート（１２８）を通る所定の流量を得るように前記制御装置（３０５ａ）を制御する請求項１ないし３のいずれか１項に記載の浄水装置（３００）。
【請求項５】
前記所定の量が０．５〜４００リットル、例えば０．５、１、２、５、１０、２０、５０、７０、９０、１５０、２００又は３００リットルである、請求項４に記載の浄水装置（３００）。
【請求項６】
前記制御部は、前記少なくとも１つの検出器（３０８、３０９）によって検出された少なくとも１つの前記製品流体特性の変化に応じてアラーム機能を起動させる、請求項の１ないし５のいずれか１項に記載の浄水装置（３００）。
【請求項７】
前記流量調節器が、電気的又は機械的に制御可能な弁を含む、請求項１ないし６のいずれか１項に記載の浄水装置（３００）。
【請求項８】
前記少なくとも１つの検出器（３０２、３０８、３０９、４１０）は、前記浄水経路（３７１）の浸透水経路（３７１ａ）において浸透水の流体特性を検出するように配置された少なくとも１つの検出器（３０２、４１０）を備え、前記浸透水経路（３７１ａ）は、前記製品水経路（３７１ｃ）の上流に配置され、前記制御部（１１２）は、前記少なくとも１つの検出器（３０２、４１０）によって検出された前記浸透流体特性に基づいて、１つ以上の所定の浸透水基準を満たすように前記浸透水経路（３７１ａ）内の前記浸透水の浸透流体特性を制御するように前記制御装置（３０５ａ）を制御する、請求項１ないし７のいずれか１項に記載の浄水装置（３００）。
【請求項９】
請求項１ないし８のいずれか１項に記載の浄水装置（３００）であって、
―前記製品水経路（３７１ｃ）内を流れる前記製品水を加熱するように配置されたヒータ（３０２）、を含む浄水装置（３００）。
【請求項１０】
前記浄水装置（３００）は、前記ヒータ（３０２）の下流の前記浄水経路内の水の温度を測定するように配置された温度センサ（３０３）を備え、前記制御部（１１２）は、前記温度センサ（３０３）によって検出された前記温度に基づいて、前記ＲＯ装置（３０１）のＲＯ膜（３２４）を通って流れる水の前記温度を制御するように前記制御装置（３０５ａ）を制御する、請求項９に記載の浄水装置（３００）。
【請求項１１】
請求項１ないし１０のいずれか１項に記載の浄水装置（３００）であって、
―外部の水源から水を受け入れ、前記供給口（３０１ａ）に水を供給するように配置されたタンク（３５０）、を含む浄水装置（３００）。
【請求項１２】
請求項１ないし１１のいずれか１項に記載の浄水装置（３００）であって、
―前記浄水経路（３７１）内の前記再循環回路の下流に配置されたポリッシャー（３０６）、を含む浄水装置（３００）。
【請求項１３】
前記ポリッシャー（３０６）が、電気脱イオン化（ＥＤＩ）装置を含む、請求項１２に記載の浄水装置（３００）。
【請求項１４】
請求項１２又は１３に記載の浄水装置（３００）であって、
―浄水を前記ＲＯ装置（３０１）の前記浄水出口（３０１ｂ）から前記ポリッシャー（３０６）の入口まで搬送するように配置された浸透水経路（３７１ａ）、を含む浄水装置（３００）。
【請求項１５】
前記製品水経路が、前記ポリッシャー（３０６）の出口から前記製品水ポート（１２８）に浄水を搬送するように配置されている、請求項１２ないし１４のいずれか１項に記載の浄水装置（３００）。
【請求項１６】
浄水を生産する浄水装置（３００）内の少なくとも１つの流体特性を制御する方法であって、前記浄水装置（３００）は、浄水流を生産する逆浸透装置（ＲＯ装置）（３０１）と、前記浄水流の一部を前記ＲＯ装置（３０１）の下流の点から前記ＲＯ装置（３０１）の上流の点までを再循環するように配置された再循環経路（３７５）とを含み、前記方法は、
―浄水経路（３７１）の製品水経路（３７１ｃ）内の製品水の少なくとも１つの製品流体特性を検出すること含み、前記浄水経路（３７１）内の浄水の少なくとも１つの流体特性の検出する工程（Ｓ１）と、ここで、前記製品水経路（３７１ｃ）は、前記再循環経路（３７５）の下流に配置され、
―前記少なくとも１つの検出された製品流体特性に基づいて、前記製品水経路（３７１ｃ）内の前記製品水の１つ以上の所定の製品水基準を満たすように前記再循環経路（３７５）内の水の流量を調節することを含み、前記少なくとも１つの検出された流体特性に基づいて、前記浄水経路（３７１）内の前記浄水の１つ以上の所定の基準を満たすように前記再循環経路（３７５）内の水の流量を調節する工程（Ｓ２）と、を含み、
前記少なくとも１つの検出された製品流体特性は前記製品水経路（３７１ｃ）内の製品水の流量を含み、前記１つ以上の所定の製品水基準は、前記製品水経路（３７１ｃ）内の製品水の前記流量が所定の流量に相当することを含む、方法。
【請求項１７】
請求項１６に記載の方法であって、
―生産時間帯の間に生産された製品水の量を、前記生産時間帯の前記持続時間及び前記生産時間帯の間に検出された対応する前記浄水の流量に基づいて推定する工程（Ｓ５）、を含む方法。
【請求項１８】
請求項１７に記載の方法であって、
前記量が所定の生産量に達したときに所定の動作を引き起こす工程（Ｓ６）、を含む方法。
【請求項１９】
前記少なくとも１つの製品流体特性が、前記製品水経路（３７１ｃ）内の圧力を含み、前記１つ以上の所定の製品水基準が、製品水経路（３７１ｃ）内の製品水の前記圧力が所定の上限圧力レベル未満に留まることを含む、請求項１６ないし１８のいずれか１項に記載の方法。
【請求項２０】
前記検出する工程（Ｓ１）が、前記浄水経路（３７１）の浸透水経路（３７１ａ）における浸透水の少なくとも１つの浸透流体特性を検出することを含み、ここで前記浸透水経路（３７１ａ）が前記製品水経路（３７１ｃ）の上流に配置され、前記調節する工程（Ｓ２）が、前記少なくとも１つの検出された前記浸透流体特性に基づいて、前記浸透水経路（３７１ａ）に内の前記浸透水の１つ以上の所定の浸透水基準を満たすように前記再循環経路（３７５）内の水の流量を調節することを含む、請求項１６ないし１９のいずれか１項に記載の方法。
【請求項２１】
請求項１６ないし１９のいずれか１項に記載の方法であって、
―前記浄水経路（３７１）内に配置されたヒータ（３０２）の下流の前記浄水経路（３７１）内の水の温度を測定することを含み、前記調節する工程は（Ｓ２）は、前記温度センサ（３０３）によって検出された前記温度に基づいて、前記ＲＯ装置（３０１）のＲＯ膜（３２４）を通って流れる水の前記温度が所定の温度基準を満たすように、前記再循環経路における水の流量を調節する、方法。
【請求項２２】
前記浄水装置（３００）が浄水を生産している間に、前記検出する工程（Ｓ１）及び前記調節する工程（Ｓ２）を継続的に実施することを含む、請求項１６ないし２１のいずれか１項に記載の方法。
【請求項２３】
１６ないし２２のいずれか１項に記載の方法であって、
―前記少なくとも１つの検出された製品流体特性の変化に応じてアラーム機能を起動する工程（Ｓ３）、を含む方法。
【請求項２４】
前記所定の上限圧力レベルは、前記製品水経路（３７１ｃ）の下流の、又は前記製品水経路（３７１ｃ）内若しくは前記製品水経路（３７１ｃ）から所定の距離に配置されたいずれかの他のコンポーネントの製品水をろ過するように配置された少なくとも１つのフィルタの圧力許容レベルに対応する、請求項１９に記載の方法。
【請求項２５】
前記調節する工程（Ｓ２）が、所定の量の水を生産するために、所定の時間帯の間に所定の流量を得るために前記製品水の前記流体特性を制御することを含む、請求項１６ないし２４のいずれか１項に記載の方法。
【請求項２６】
前記所定の量が０．５〜４００リットルである、請求項２５記載の方法。
【請求項２７】
請求項１６ないし２６のいずれか１項に記載の方法であって、
前記製品水経路（３７１ｃ）に流れる製品水の前記温度を制御する工程（Ｓ４）、を含む方法。
【請求項２８】
ポリッシャー（３０６）が、前記浄水流の中の前記再循環回路の下流に配置され、前記製品水経路（３７１ｃ）が前記ポリッシャー（３０６）の出口から前記製品水ポート（１２８）に製品水を搬送するように配置されている、請求項１６ないし２７のいずれか１項に記載の方法。
【請求項２９】
プログラムがコンピュータによって実行されるときに、請求項１６ないし２８のいずれか１項に記載の方法を前記コンピュータに実行させるための命令を含む、コンピュータプログラム。
【請求項３０】
コンピュータによって実行されたときに、請求項１６ないし２８のいずれか１項に記載の方法を前記コンピュータに実行させる命令を含む、コンピュータ読取可能な媒体。
【発明の詳細な説明】
【技術分野】
【０００１】
本開示は、浄水装置および浄水装置における少なくとも１つの流体特性を制御するための対応する方法に関する。本開示はまた、この方法を実施するコンピュータプログラムおよびコンピュータプログラム製品に関する。
【背景技術】
【０００２】
急性又は慢性の腎不全に苦しむ患者の治療では、透析療法が用いられる。透析療法の一般的な３つのカテゴリーは、血液透析（ＨＤ）、腹膜透析（ＰＤ）、持続的腎代替療法（ＣＲＲＴ）である。
【０００３】
血液透析では、患者の血液は、透析器に組み込んだ体外膜システムで人工腎臓を通る通路によって浄化される。血液処理は、患者の血液を膜の一方の側で循環させる半透膜（ダイアライザー）及びを有する交換器を介した体外循環を含み、健常者の血液中に近い濃度の血液の主な電解質を含む透析液をもう一方で循環させる。さらに、半透膜によって区切られたダイアライザーの２つのコンパートメントの間に圧力差が生み出され、その結果、少量の血漿液が限外濾過によって膜を通過して透析液を含むコンパートメントに入る。
【０００４】
ＣＲＲＴは、標準的な血液透析のために病状が悪すぎる又は不安定な患者に対する代替療法として用いられる。これは血液透析に類似しており、拡散といくらかの程度の対流のために半透膜を利用している。しかし、血液透析よりも緩徐な血液治療であり、数時間から数日まで持続的に進行することがある。
【０００５】
腹膜透析では、透析液を患者の腹腔内に注入する。この腔は血管が高度に血管新生化された腹膜によって裏打ちされている。代謝産物は、腹膜をまたいで透析液中に拡散することにより、患者の血液から除去される。過剰な液体、すなわち水分は高張透析液によって誘発される浸透によっても除去される。拡散と浸透限外濾過というこれらの２つのプロセスを通して、患者の体液量と組成物を適切な限界内に維持するためには、適切な量の溶質代謝産物と液体を除去する必要がある。
【０００６】
腹膜透析療法には、持続的携行式型腹膜透析（ＣＡＰＤ）、自動腹膜透析（ＡＰＤ）など様々な種類があり、これには潮流ＡＰＤ、持続注入腹膜透析（ＣＦＰＤ）などがある。
【０００７】
ＣＡＰＤは手動の透析治療である。患者は手動で埋め込まれたカテーテルをドレンに接続し、使用済み透析液を腹腔から排出させる。その後、患者はカテーテルを新しい透析液のバッグに接続し、カテーテルを通して新しい透析液を患者に注入する。患者は、カテーテルを新鮮な透析液バッグから切り離し、透析液が腹腔内に滞留することを可能にし、そこで廃棄物、毒素および過剰な水の転送が行われる。
【０００８】
自動腹膜透析（ＡＰＤ）は、透析治療にドレン、充填、および滞留サイクルが含まれる点でＣＡＰＤと類似している。しかしながら、ＡＰＤ装置は、典型的には患者が眠っている間に、自動的にサイクルを実行する。ＡＰＤ装置は、患者が治療サイクルを手動で行わなければならないことから解放され、日中に供給品を搬送しなければならないことからも解放される。ＡＰＤ装置は、埋め込まれたカテーテル、新鮮な透析液の供給源又はバッグ、および液体ドレンに流体的に接続する。ＡＰＤ装置は、カテーテルを介して透析液源から新鮮な透析液を患者の腹腔内に送り込み、透析液が腔内に滞留し、廃棄物、毒素および過剰な水分の転送を可能にする。ＡＰＤ装置は、使用済み透析液を腹腔からカテーテルを通してドレンに送り出す。手動プロセスと同様に、ＡＰＤ中にドレン、充填および滞留サイクルが数回発生する。ＣＡＰＤとＡＰＤの最後に”最後の充填”がしばしば起こり、それは次の治療まで患者の腹腔内に残る。
【０００９】
ＣＡＰＤとＡＰＤの両方は、使用済み透析液をドレンに送るバッチ型システムである。潮流システムは修正バッチシステムである。潮流では、より長い期間にわたって患者から全ての液体を除去する代わりに、少しの時間の経過後に液体の一部を除去し、交換する。
【００１０】
持続的流量又はＣＦＰＤシステムは、使用済み透析液を廃棄する代わりに洗浄又は再生する。ＣＦＰＤシステムは、バッチシステムよりも一般的に複雑である。
【００１１】
ＣＡＰＤ、ＡＰＤ（潮流を含む）およびＣＦＰＤシステムは、ポンピングカセットを用いることができる。ポンピングカセットは、典型的には、透析液をカセットから出入りするように機械的に移動して押し引きする柔軟な膜を含む。
【００１２】
腹膜透析の１つの形成では、自動サイクラーを用いて透析液を注入し、排出する。この治療の形態は、患者が眠っている夜間に自動的に行われる場合がある。サイクラーは、注入された液体の量と除去された量を測定して、正味の液体除去を計算する。治療手順は通常、使用済み透析液の腹腔を空にするための最初のドレンサイクルから始まる。その後、サイクラーは一連の充填サイクル、滞留サイクル、ドレンサイクルを実施し、典型的には充填サイクルで終了する。
【００１３】
腹膜透析は一般に大量の透析液を必要とする。一般に、各アプリケーション、又は交換で、所定の患者は、２〜３リットルの透析液を腹腔内に注入するだろう。透析液は約１〜３時間滞留させ、その時点で排出し、新鮮な透析液と交換する。一般に、このような交換は毎日４回行われる。したがって、各患者に１日あたり約８〜２０リットルの透析液が、週７日、年３６５日必要となる。
【００１４】
透析液は、上記の治療に使用するために、従来、密封容器バッグに入れて提供され、使用の準備がされる。例えば、腹膜透析は、典型的には、３種類の異なる濃度のブドウ糖を含むバッグを用いて行われる。このバッグは、ブドウ糖濃度の異なる１リットルから６リットルのバッグとして、患者の自宅に届けられている。通常の１日の消費量は、ＰＤ透析液８〜２０リットル程度である。液体は、最大６リットルのサイズの滅菌バッグに入れられ、箱に詰められ、例えば毎月、患者の自宅に使用するために配送されて提供される。液体の箱は、ＰＤ患者が取り扱うのが煩雑で重く、自宅の部屋で実質的なスペースを消費することがある。また、バッグや箱は、週又は月単位で比較的大量に処理される廃棄物を発生させている。
【００１５】
上記を踏まえて、いくつかの問題が明らかになる。大量の液体の出荷と保管はスペースの消費が必要である。さらに、複数の予め充填されたバッグを使用すると、空の容器や包装の形で廃棄物が発生する。
【００１６】
従って、使用場所、例えばＰＤ装置で透析溶液を作り出す腹膜透析（ＰＤ）システム全体のためのサブシステムが必要である。
【００１７】
ＰＤ透析液は患者の腹腔に直接届けられる。したがって、ＰＤ液には、患者の腹膜に導入するのに適した滅菌レベルが必要である。それに応じて、典型的には使用場所、通常患者の自宅、への配送前に、ＰＤ透析液は予め混合され、滅菌される。
【００１８】
また、血液透析やＣＲＲＴでは、例えば血液透析装置又はＣＲＲＴ装置など、使用時点で透析液を作り出すシステムがしたがって必要となる。
【００１９】
いくつかの実施形態において、血液透析、ＰＤ又はＣＲＲＴのための全体システムは、３つの主要コンポーネント、すなわち、透析装置、浄水器および透析装置と浄水器の両方と作動する給水セットを含む。透析装置は、例えば、ＰＤサイクラー、血液透析装置又はＣＲＲＴ装置である。透析装置は、浄水器から精製された水から透析液を準備し、濃縮する。
【００２０】
浄水器は、浄水を使用する時点で、例えば水道水などから浄水を生産している。
【発明の概要】
【００２１】
一定の状況下では、一定の大きさの製品水流量を配送することが望ましい。例えば、適時一定量の浄水を届けること、又は浄水装置の下流に配置されたフィルタによって引き起こされる圧力低下を克服することができる。しかし、浄水装置やフィルタのハードウエアは経時的に劣化する可能性がある。例えば、殺菌グレードのフィルタは、細菌およびエンドトキシン、そしておそらく他の物質によってブロックされ得る。これは、浄水装置からの製品水流量に影響を及ぼす可能性がある。その結果、一定の圧力に対する処理能力は、時間の経過とともに低下するであろう。このように、浄水装置によって生産される浄水の量が不確実である可能性がある。従って、開示の１つの目的は、製品水流の特性を制御して、例えば一定の（又はかなり一定の）流量又は圧力を維持することである。他の目的は、浄水装置内のコンポーネントの作動点（例えば、圧力、温度又は流量）を一定の間隔内に保つことである。
【００２２】
これらのオブジェクトおよび他のものは、独立クレームによる装置および方法、ならびに従属クレームの実施形態によって少なくとも部分的に達成される。
【００２３】
第１の態様によれば、開示は浄水を生産するための浄水装置に関するものである。浄水装置は、逆浸透（ＲＯ）装置、ＲＯポンプ、再循環経路、浄水経路、浄水経路、制御装置、少なくとも１つの検出器および制御部を含む。逆浸透（ＲＯ）装置は、浄水流を生産するように配置され、ＲＯ装置は、給水を受け入れるように配置された供給口および浄水流出口を含む供給口を含み、ＲＯポンプは、供給口に給水を送り出すように配置される。さらに、ＲＯ装置の下流の第１点からＲＯ装置の上流の第２点まで浄水流の一部を再循環させるように再循環経路を配置し、浄水流路を配置して浄水流出口から製品水ポートに浄水を搬送する。浄水経路は、製品水を製品水ポートに搬送するために、再循環経路の下流に配置された製品水経路を含む。制御部は、少なくとも１つの検出器によって検出された流体特性に基づいて、再循環経路における浄水の流量を調節するように制御装置を制御するように構成されている。製品水経路における製品水の製品流体特性を検出するために、少なくとも１つの検出器が配置されている。また、制御部は、少なくとも１つの検出器によって検出された生産物流動特性に基づいて、１つ以上の所定の製品水基準を満たすように、製品水経路における製品水の生産物流動特性を制御するように、制御装置を制御するように構成されている。少なくとも１つの検出器は、流量センサを含み、流量センサによって検出される製品流体特性は、生産物流路における製品水の流量である。また、１つ以上の所定の製品水基準は、製品水経路における製品水の流量が所定の流量に相当することを含む。
【００２４】
したがって、浄水装置の浄水経路における１つ又は複数の流体特性を制御することができる。より具体的には、望ましい製品流体特性が生産中を通して維持され、また、例えば、始動および停止の間にも維持されるように、透析装置の製品水の１つ又は複数の製品流体特性が制御され得る。ここで、製品水の所望の流量を経時的に維持することができる。
【００２５】
いくつかの実施形態によれば、少なくとも１つの検出器が、圧力センサを備え、圧力センサによって検出される製品流体特性が、製品水経路内の流体の圧力であり、１つ以上の所定の製品水基準が、製品水経路内の製品水の圧力が所定の上圧レベル未満に留まること、及び／又は製品水経路内の製品水の圧力が所定の圧力に対応することを含む。従って、製品水経路における製品水の圧力は、最適な動作のために望ましい範囲内に留まるように制御され得る。したがって、製品水経路の圧力が高すぎるために、コンポーネントが破損したり、劣化したりすることを避けることができる。
【００２６】
いくつかの実施形態によれば、少なくとも１つのフィルタは、製品水経路を流れる製品水を濾過するように配置され、前記所定の上圧レベルは、製品水経路に配置された少なくとも１つのフィルタ又は任意の他のコンポーネントの圧力許容レベルに対応する。
【００２７】
フィルタ、細菌及びエンドトキシンを通して水が送り出されるので、おそらく他の物質は製品水経路に関連して配置されたフィルタの浸透性を低下させる可能性がある。これは、ある圧力に対する処理能力が経時的に低下するであろうことを意味する。提案手法を用いることにより、製品水経路内の製品水の圧力を、最大許容レベルまで増加させて、そのような挙動を補償することができる。
【００２８】
いくつかの実施形態によれば、制御部は、少なくとも１つの検出器によって検出された少なくとも１つの製品流体特性の変化に応答してアラーム機能を起動させるように構成される。したがって、疑わしいエラーが検出された場合、操作者又は患者に警告する可能性がある。
【００２９】
いくつかの実施形態によれば、制御部は、所定量の水を生産するために、所定の時間帯の間に製品水ポートを通る所定の流量を得るように制御装置を制御するように構成されている。従って、透析装置が要求する量の生産物を生産することができる。要求される量は、典型的には０．５〜４００リットル、例えば１、２、５、１０、２０、５０、７０、９０、１５０、２００又は３００リットルである。
【００３０】
いくつかの実施形態によれば、浄水装置は、製品水経路内を流れる製品水を加熱するように配置されたヒータを含む。従って、透析装置が要求する温度の製品水を生産することができる。ヒータはまた、ＲＯ装置のＲＯ−膜の温度を制御するために使用することができる。
【００３１】
いくつかの実施形態によれば、浄水装置は、ヒータの下流の浄水経路内の水温を測定するように配置された温度センサを備える。これらの実施形態によれば、制御部は、温度センサによって検出された温度に基づいて、ＲＯ装置のＲＯ膜を通って流れる水の温度を制御するように制御装置を制御するように構成されている。従って、ＲＯ膜の温度はかなり一定に保たれている可能性があり、これは動作に望ましいだろう。
【００３２】
いくつかの実施形態によれば、浄水装置は、外部水源から水を受け入れ、供給口に水を供給するように配置されたタンクを含む。
【００３３】
いくつかの実施形態によれば、浄水装置は、浄水経路内の再循環回路の下流に配置されたポリッシャーを含む。例えば、ポリッシャーは、電気脱イオン化装置（ＥＤＩ）を含む。
【００３４】
いくつかの実施形態によれば、浄水装置は、ＲＯ装置の浄水出口からポリッシャーの入口まで浄水を搬送するように配置された浸透水経路を含む。
【００３５】
いくつかの実施形態によれば、製品水経路は、浄水をポリッシャーの出口から製品水ポートに搬送するように配置されている。
【００３６】
第２の態様によれば、開示は、浄水を生産する浄水装置において少なくとも１つの流体特性を制御するための対応する方法に関する。浄水装置は、逆浸透装置（ＲＯ装置）を備え、浄水流を生産し、ＲＯ装置の下流の点からＲＯ装置の上流の点まで浄水流の一部を再循環するように配置された再循環経路を備える。本方法は、浄水経路における浄水の少なくとも１つの流体特性を検出することを備え、浄水経路の製品水経路で浄水の少なくとも１つの流体特性を検出することを含み、ここで、製品水経路が再循環経路の下流に配置され、かつ、浄水経路における精製された水の１つ以上の所定の基準を満たすために再循環経路における水の流動速度を調節することを含む、浄水経路における製品水の流動特性を検出することを含む、本方法は、製品水経路の製品水経路における製品水の流動特性を検出することを含む。少なくとも１つの製品流体特性は、製品水経路における製品水の流量を含み、前記１つ以上の所定の製品水基準は、製品水経路における水の流量が所定の流量に対応することを含む。
【００３７】
従って、上述のように、製品流体特性は、例えば生産業者又は使用者によって定義される一定の基準を満たすように制御される可能性がある。したがって、水の生産はより効果的である可能性があり、透析治療は安全である可能性がある。この方法はまた、ＲＯ装置に水を供給するために使用されるポンプ出現頻度を調整する場合にのみ、より小さく、より迅速に製品水流量に変更させることを可能にする。
【００３８】
いくつかの実施形態によれば、本方法は、生産時間帯の持続時間に基づいて生産時間帯の間に生産される製品水の量を推定することと、生産時間帯の間に検出された浄水の対応する流量を推定することとを含む。圧力を制御する可能性により、最悪の場合に破損を引き起こす可能性がある製品水経路の高圧を避けることが可能になる。
【００３９】
いくつかの実施形態によれば、前記方法は、前記量が所定の生産量に達したときに所定の処置をトリガすることを含む。例えば、アラート信号又は処置（例えば、透析装置に送られるメッセージ）は、要求されたボリュームが生産されたときにトリガされる可能性がある。
【００４０】
いくつかの実施形態によれば、少なくとも１つの生産流体特性は、製品水経路内の圧力を含み、１つ以上の所定の製品水基準は、製品水経路内の製品水の圧力が所定の上限圧力レベル未満に留まることを含む。
【００４１】
いくつかの実施形態によれば、本方法は、浄水経路内に配置されたヒータの下流の浄水経路内の水温を測定することを含む。これらの実施形態によれば、前記調節は、次いで、前記温度センサによって検出される温度に基づいて、前記ＲＯ装置のＲＯ膜を通って流れる水の温度が所定の温度基準を満たすように、再循環経路内の水の流量を調節することを含む。
【００４２】
それによって、ＲＯ膜に入る水の温度範囲は、加熱浄水の戻り流量が利用可能でありタンク内の水温を上昇させることができるので、入ってくる水の温度および周囲温度にあまり依存しないだろう。結果的に、膜のろ過挙動はより安定になるであろう。
【００４３】
いくつかの実施形態によれば、本方法は、浄水装置が浄水を生産している間に、検出および調節を継続的に行うことを含む。
【００４４】
いくつかの実施形態によれば、前記方法は、少なくとも１つの検出された製品流体特性の変化に応じてアラーム機能を起動させることを含む。このように、これらの実施形態に従う提案された方法はまた、浄水器が、より低い圧力低下を意味するフィルタの破損、それによって、より低い圧力および製品水経路における増加した流量などの圧力の急激な変化を検出することを可能にする。あるいは、浄水器とフィルタの間に漏れが生じると、圧力低下に帰着し、アラームが鳴る。
【００４５】
いくつかの実施形態によれば、所定の上部圧力レベルは、製品水経路の下流にある製品水又は製品水経路の中又は浄水経路から所定の距離内に配置された他のいずれかのコンポーネントをろ過するように配置された少なくとも１つのフィルタの圧力許容レベルに対応する。
【００４６】
いくつかの実施形態によれば、前記制御は、所定量の水を生産するために、所定の時間帯の間に所定の流量を得るために、製品水の流体特性を制御することを含む。さらに、浄水器は、透析装置への通信が失われた場合であっても、必要な量を透析装置に送り続ける可能性がある。所定の量は、典型的には０．５〜４００リットルである。
【００４７】
いくつかの実施形態によれば、本方法は、製品水経路内を流れる製品水の温度を制御することを含む。
【００４８】
いくつかの実施形態によれば、浄水流中の再循環回路の下流にポリッシャーが配置され、その後、製品水経路が、ポリッシャーの出口から製品水ポートに製品水を搬送するように配置される。
【００４９】
第３の態様によれば、開示は、指示を含むコンピュータプログラムに関するものであり、これは、プログラムがコンピュータによって実行されたときに、コンピュータに上述および下記の方法を実行させる。
【００５０】
第４の態様によれば、開示は、指示を含むコンピュータ読取可能な媒体に関するものであり、コンピュータによって実行されたときに、コンピュータに上述および下記の方法を実行させる。
【図面の簡単な説明】
【００５１】
本発明の実施形態は、以下に示す本発明の実施形態の例を示す添付の図面を参照して、より詳細に記載される。
【図１】浄水装置からの浄水を用いたケア透析液生産のポイントを有するＰＤ透析システムの一実施形態の正面立面図である。
【図２】図１に図示されるシステムと共に使用されるディスポーザブルセットの一実施形態の立面図である。
【図３】浄水装置のいくつかの機能的部分の模式図である。
【図４ａ】ＲＯ装置３０１を含む浄水装置３００の第１の例示的な実施形態を示す。
【図４ｂ】浄水装置３００の制御部の機能性を示す。
【図５】透析装置に使用する方法のフローチャートを示す。
【図６】例示的な浄水装置をより詳細に示す。
【発明を実施するための形態】
【００５２】
例えばポイントオブケアのような浄水装置を使用する場合には、浄水、すなわち製品水の流量を制御できることが望ましいであろう。製品水の流量が一定であったり、少なくとも知られていたりする場合には、一定の生産時間中に生産される水の量を予測することができる。
【００５３】
一般に、できるだけ早く所望量の製品水を生産することが望ましい。ただし、製品水流量が多すぎると、浄水装置内の水圧が高すぎることがあり、浄水装置内又はそれに関連して、流体システムやその他のハードウエアに損傷を与える可能性がある。さらに、製品水流量又は圧力が高すぎる場合、例えば透析装置に製品水を供給するように配置された専用線セット内のフィルタが破損する可能性があり、細菌およびエンドトキシンが患者に到達するリスクを引き起こす可能性がある。
【００５４】
したがって、提案手法は、製品水経路における製品水の流量、圧力又は温度などの１つ以上の製品水流体特性又はパラメータに基づいて、浄水装置からの製品水流量を制御する方法を提案する。制御は、例えば、浄水装置の再循環経路において電気的に制御された比例弁を用いて実施される。電気的に制御可能な弁は、圧力又は温度のような浄水の他の流体特性を制御するために使用することもできる。
【００５５】
提案手法をより深く理解するために、提案手法を実施することができる浄水装置を、腹膜透析システムに含まれる部分として以下に説明する。しかしながら、提案された技術は、他の種類の透析システム、例えば、血液透析又はＣＲＲＴシステムに浄水を生産するために使用される浄水装置において、血液透析で使用される透析液の生産に使用するために、又はケア時点又は使用時点でシステムによって実施されるＣＲＲＴ治療に使用するために実施することもできる。
【００５６】
ここで、図面、特に図１を参照し、透析液生産の使用点を有する腹膜透析システムをシステム１０ａによって図示する。システム１０ａは、サイクラー２０と浄水装置３００とを備える。サイクラー２０に適したサイクラーは、例えば、Ｂａｘｔｅｒ  Ｉｎｔｅｒｎａｔｉｏｎａｌ  Ｉｎｃ．によって市販されているＡｍｉａ（登録商標）又はＨｏｍｅＣｈｏｉｃｅ(登録商標)サイクラーを含み、それらのサイクラーは、システム１０ａに従って生産された透析液の使用点を実行し使用するために、更新されたプログラミングを必要とすることを理解する。この目的のために、サイクラー２０は、少なくとも１つのプロセッサおよび少なくとも１つのメモリを有する制御部２２を含む。制御部２２はさらに、浄水装置３００に情報を送信及び情報を受信するための有線又は無線のトランシーバを備える。浄水装置３００はまた、少なくとも１つのプロセッサ及び少なくとも１つのメモリを有する制御部１１２を含む。制御部１１２はさらに、サイクラー２０の制御部２２に情報を送信し、情報を受信するための有線又は無線のトランシーバーを含む。有線通信は、例えば、Ｅｔｈｅｒｎｅｔ接続を介してもよい。無線通信は、Ｂｌｕｅｔｏｏｔｈ（登録商標）、ＷｉＦｉ（ＴＭ）、Ｚｉｇｂｅｅ(登録商標）、Ｚ−Ｗａｖｅ(登録商標）、無線Ｕｎｉｖｅｒｓａｌ  Ｓｅｒｉａｌ  Ｂｕｓ  （”ＵＳＢｕｓ”）、又は赤外線プロトコルのいずれかを介して、又は他の適切な無線通信技術を介して行うことができる。制御部２２は、制御部２２によってプログラムが実行されると、制御部２２および浄水装置に本明細書に開示された実施形態のいずれか１つに従った方法およびプログラムのいずれか１つ又は複数を実行させる指示を含むコンピュータプログラムを含む。これらの指示は、携帯型メモリデバイス、例えば、ＵＳＢメモリ、携帯型コンピュータ、又は類似のようなコンピュータ読取可能な媒体上に保存され、制御部２２内にロードされ得る。
【００５７】
サイクラー２０は、ハウジング２４を含み、これは、使用時点で新鮮な透析液を調製し、新鮮な調製した透析液を患者Ｐに送り出し、透析液が患者Ｐ内に滞留し、次に使用した透析液をドレンに送り出すために、制御部２２を介してプログラムされた装置を保持する。図１では、浄水装置３００は、第１ドレン経路３８４を含み、ハウジングドレン又はドレン容器であり得るドレン３３９につながる。使用時点で新鮮な透析液を調製するために制御部２２を介してプログラムされた装置は、（ｉ）１つ以上の陽圧リザーバ、（ｉｉ）１つ以上の陰圧リザーバ、（ｉｉｉ）陽圧及び陰圧が提供されて１つ以上の陽圧及び陰圧リザーバに貯蔵されるための、制御部２２の制御下にある圧縮機及び真空ポンプ、又は制御部２２の制御下に陽圧と陰圧の両方を作り出す単一のポンプ、（ｉｖ）複数の流体弁チャンバに陽圧及び陰圧を送るための複数の空気圧弁チャンバ、（ｖ）複数の流体ポンプチャンバに陽圧及び陰圧を送るための複数の空気圧ポンプチャンバ、（ｖｉ）制御部２２の制御下にあり、複数の空気圧弁チャンバと複数の流体弁チャンバの間に位置する複数の電気的に作動するソレノイド空気圧弁、（ｖｉｉ）制御部２２の制御下にあり、複数の空気圧ポンプチャンバの間に位置する複数の電気的に作動する可変空気圧弁、（ｖｉｉｉ）１つの実施形態において混合されているように透析液を加熱するための制御部２２の制御下のヒータ、および（ｖｉｉｉ）アラームおよびその他の状況において患者およびドレンラインを閉鎖するための制御部２２の制御下の閉塞器２６、を含むがこれに限定されない。。
【００５８】
１つの実施形態において、複数の空気圧弁チャンバおよび複数の空気圧ポンプチャンバは、サイクラー２０のハウジング２４の前面又は表面に位置する。ヒータは、ハウジング２４の内部に位置し、いくつかの実施形態では、加熱蓋（図１には見られない）の下に、ハウジング２４の頂部に位置する加熱パンに接触する加熱コイルを含む。
【００５９】
図１のサイクラー２０は、ユーザインターフェース３０も含む。一実施形態の制御部２２は、ビデオコントローラを含み、これは、制御部２２の主制御処理およびメモリと相互動作するための自身の処理およびメモリを有し得る。ユーザインターフェース３０は、ビデオモニタ３２を含み、これは、ユーザインターフェース３０を介して制御部２２に指令を入力するために、ビデオモニタ３２上に置かれたタッチスクリーンオーバーレイで作動することができる。ユーザインターフェース３０は、膜スイッチ又は他のボタンのような１つ以上の電気機械的入力装置も含むことができる。
【００６０】
図１の浄水装置３００は、ユーザインターフェース１２０も含む。次に、浄水装置３００の制御部１１２は、ビデオコントローラを備えることができるが、これは、制御部１１２の主制御処理およびメモリと相互動作するための自身の処理およびメモリを備えることができる。ユーザインターフェース１２０は、ビデオモニタ１２２を含み、これも同様に、制御部１１２に指令を入力するためにビデオモニタ１２２上に置かれたタッチスクリーンオーバーレイで作動することができる。ユーザインターフェース１２０はまた、膜スイッチ又は他のボタンのような１つ以上の電気機械的入力装置を含むこともできる。制御部１１２はさらに、浄水装置３００の１つ又は複数のスピーカ１２４において、アラーム又はアラート音などの音ファイルを再生するための音声制御部を備えることができる。
【００６１】
図２を追加的に参照し、ディスポーザブルセット４０を示す。ディスポーザブルセット４０は、図１にも示されており、サイクラー２０に結合されて、ディスポーザブルセット４０内の液体を移動させ、例えば本明細書で議論されているように透析液を混合する。図示の実施例におけるディスポーザブルセット４０は、ディスポーザブルカセット４２を含み、これは、柔軟性のある膜によって片側又は両側に覆われた平面硬質性プラスチック片を含み得る。サイクラー２０のハウジング２４に圧着された膜は、ポンプ及び弁膜を形成する。図２は、ディスポーザブルカセット４２が、サイクラー２０のハウジング２４に位置する空気圧ポンプチャンバと共に作動する流体ポンプチャンバ４４と、サイクラー２０のハウジング２４に位置する空気圧弁チャンバと共に作動する流体弁チャンバ４６とを備えることを示す。
【００６２】
図１および２は、ディスポーザブルセット４０が、カセット４２の患者線ポートから延びて、患者ラインコネクタ５２で終了する患者ライン５０を含むことを示す。図１は、患者ラインコネクタ５２が患者転送セット５４に接続し、これが次に患者Ｐの腹腔内に位置する滞留カテーテルに接続されることを示している。ディスポーザブルセット４０は、カセット４２のドレンラインポートから延び、ドレンラインコネクタ５８で終了するドレンライン５６を備えている。図１は、使用された透析液をサイクラー２０から受け取るために、ドレンラインコネクタ５８が、浄水装置３００のドレンポート１１８に取り外し可能に接続されていることを示す。
【００６３】
図１および２は、さらに、ディスポーザブルセット４０が、カセット４２のヒータ／混合ラインポートから延びて、後述するヒータ／混合バッグ６２で終了するヒータ／混合ライン６０を含むことを例示する。ディスポーザブルセット４０は、水用アキュムレータ６６の水入口に延びる上流水線セグメント６４ａを含む。下流水線セグメント６４ｂは、水用アキュムレータ６６の水出口６６ｂからカセット４２まで延びる。図示の実施例では、上流水線セグメント６４ａは、水線コネクタ６８から始まり、水用アキュムレータ６６から上流に位置する。図１は、水線コネクタ６８が、浄水器１１０の製品水ポート１２８に取り外し可能に接続されていることを示す。
【００６４】
浄水装置３００は、例えば腹膜透析（「ＷＦＰＤ」）に適した浄水及び水を出力する。ＷＦＰＤは、患者Ｐの腹腔へ送達する透析液を作るのに適した水であり、例えば、透析用水又は注射用水である。
【００６５】
１つの実施形態において、殺菌滅菌グレードフィルタ７０ａは、下流の殺菌滅菌グレードフィルタ７０ｂから上流に配置される。フィルタ７０ａ及び７０ｂは、水用アキュムレータ６６の上流の水線セグメント６４ａに配置することができる。滅菌された滅菌グレードのフィルタ７０ａ及び７０ｂは、廃棄ラインを持たない通過フィルタであってもよい。滅菌フィルタの孔径は、例えば、０．１又は０．２ミクロンのようなミクロン未満であってもよい。適切な殺菌滅菌グレードフィルタ７０ａおよび７０ｂは、例えばＰａｌｌ  ＩＶ−５又はＧＶＳ  Ｓｐｅｅｄｆｌｏｗフィルタであってもよいし、本開示の担当者によって提供されるフィルタであってもよい。代替の実施形態では、水用アキュムレータ６６の上流の水線セグメント６４ａに、１つ又は２つ以上の殺菌滅菌グレードフィルタのみを配置する。１つ又は複数の殺菌滅菌グレードフィルタは、ディスポーザブルセット４０が折りたたまれやすくなるように、水用アキュムレータ６６の近くに配置されることができる。さらなる代替の実施形態では、水線セグメント６４ａに殺菌無菌グレードフィルタは存在しない。無菌滅菌グレードフィルタは、例えば、浄水装置３００の製品水経路に位置する１つ又は数個の限外フィルタに置き換えることができる。
【００６６】
図２は、さらに、最後のバッグ又は試料ライン７２が、カセット４２の最後のバッグ又は試料ポートから延びるように設けられてもよいことを示す。最後のバッグ又は試料ライン７２は、予め混合された透析液の最後の充填バッグの結合されたコネクタ、又は試料バッグ又は他の試料回収容器に接続することができるコネクタ７４で終了する。最後のバッグ又は試料ライン７２およびコネクタ７４は、所望であれば、第３のタイプの濃縮物のために代替的に使用してもよい。
【００６７】
図１及び２は、ディスポーザブルセット４０が、カセット４２の第１濃縮ポートから延びて第１カセット濃縮コネクタ８０ａで終了する第１濃縮ライン７６を含むことを示す。第２濃縮ライン７８は、カセット４２の第２濃縮ポートから延び、第２カセット濃縮コネクタ８２ａで終了する。
【００６８】
図１は、第１濃縮容器８４ａが第１、例えばグルコース濃縮物を保持しており、これが容器８４ａから容器ライン８６を介して第１容器濃縮コネクタ８０ｂに送り出され、これが第１カセット濃縮コネクタ８０ａと結合することを示している。第２濃縮容器８４ｂは、第２、例えば、緩衝液、濃縮液を保持しており、これは、容器８４ｂから容器ライン８８を介して第２容器濃縮コネクタ８２ｂに送り出され、第２カセット濃縮コネクタ８２ａと連結する。
【００６９】
治療を開始するために、患者Ｐは、典型的には、サイクラーにカセット４２を装填し、無作為又は指定された順序で、（ｉ）ヒータ／ミキシングバッグ６２をサイクラー２０上に置き、（ｉｉ）上流水線セグメントを浄水装置３００の製品水ポートに接続し、（ｉｉｉ）浄水装置３００のドレンライン５６をドレンポート１１８に接続し、（ｉｖ）第１カセット濃縮コネクタ８０ａを第１容器濃縮コネクタ８０ａに接続し、（ｖ）第２カセット濃縮コネクタ８２ａを第２容器濃縮コネクタ８２ｂに接続する。この時点で、患者コネクタ５２はなおキャップされている。新鮮な透析液が調製され、検証されると、患者ライン５０は新鮮な透析液でプライムされ、その後、患者Ｐは、患者ラインコネクタ５２を治療用の移送セット５４に接続することができる。上記ステップの各々は、ビデオモニタ３２でグラフィカルに図示されてもよく、かつ／又はスピーカ３４からの音声ガイダンスを介して提供されてもよい。
【００７０】
ここでは、浄水装置３００についてより詳細に説明する。
【００７１】
図３は、前処理モジュール１６０、逆浸透（ＲＯ）モジュール１７０および後処理モジュール１８０を含む、浄水装置３００の機能的部分の模式図である。浄水装置３００は、水の浄化のために、水源３９８、例えば水道水から浄水装置３００に水を供給するための流入口３９９を備える。水源からの入ってくる水は、流入口３９９を介して前処理モジュール１６０に供給される。
【００７２】
前処理モジュール
前処理モジュール１６０は、流入する水を粒子フィルタおよび活性炭のベッドで処理する。
【００７３】
粒子フィルタは、流入する水から粘土、沈泥およびケイ素などの粒子を除去するように配置されている。粒子フィルタは、マイクロメートルの大きさの粒子、任意にはより大きなエンドトキシン分子も流入する水から禁止するように配置されている。
【００７４】
活性炭のベッドは、流入する水から塩素や塩素を含む組成物を取り除き、有毒物質や殺虫剤を吸収するように配置されている。一実施形態では、活性炭のベッドは、次亜塩素酸塩、クロラミンおよび塩素の１つ又は複数を除去するように配置されている。さらなる実施形態では、活性炭の床もまた、流入する水の殺虫剤を含む有機化合物（ＴＯＣ全有機炭素）を低減するように配置される。
【００７５】
いくつかの実施形態において、粒子フィルタおよび活性炭のベッドは、１つの消耗品に一体化される。例えば、消耗品は、入ってくる水質に依存して、所定の間隔で交換される。例えば、流入する水の品質は、ケアの時点で浄水装置３００を最初に使用する前に、有資格者によって検査され、決定される。
【００７６】
任意に、前処理モジュール１６０は、逆浸透（ＲＯ）膜およびポリッシュ剤などの下流に置かれた装置を保護するためのイオン交換装置を備える。
【００７７】
このように、前処理部１６０は、流入する水をろ過し、下流に位置するＲＯ部１７０に前処理された水を供給する。
【００７８】
ＲＯモジュール
ＲＯモジュール１７０は、逆浸透の影響により、前処理された水から微生物、発熱物質およびイオン性物質などの不純物をろ過された水から除去する。前処理された水はポンプによって加圧され、浸透圧を克服するためにＲＯ膜を強制的に通過する。ＲＯ膜は、例えば半透膜である。これにより、給水とよばれる前処理された水の流れは、排水の流れと浸透水の流れに分けられる。一実施形態では、廃棄水を、第一廃棄経路および第二廃棄経路の一方又は両方を介して通すことができる。最初の廃棄経路は、ＲＯ装置に再びフィードバックされるために、ＲＯポンプのフィードウォーター経路に戻る水を廃棄する。再循環した廃棄水はＲＯ‐装置への供給流を増加させ、ＲＯ‐膜のスケーリングと汚れを最小限にするためにＲＯ‐膜の廃棄側を通過する十分な流量を得る。２番目の廃棄経路は、排水を廃棄するよう導く。これにより、廃棄側の濃度レベルは、適切で必要な浸透液濃度を得るのに十分に低くなる。供給水が溶質の含有量が低い場合には、ドレン流の一部をＲＯ膜の入口側にも還流させることができ、それによって浄水装置３００の水効率を高めることができる。
【００７９】
このようにして、ＲＯ部１７０は、前処理水を処理し、後処理モジュール１８０に位置する下流に浸透水を送る。
【００８０】
後処理モジュール
後処理モジュール１８０は、浸透水からさらにイオンを除去するために、浸透水をポリッシュする。浸透水は、電気脱イオン（ＥＤＩ）装置又は混合床フィルタ装置などのポリッシャーを用いてポリッシュする。
【００８１】
ＥＤＩ装置は、ＲＯ膜を浸透したアルミニウム、鉛、カドミウム、クロム、ナトリウム及び／又はカリウムなどの浸透水からイオンを除去するために電気脱イオン化を利用している。ＥＤＩ装置は、浸透水を脱イオン化し、浸透水から溶存イオン、すなわち不純物を分離するために、電気、イオン交換膜および樹脂を利用する。ＥＤＩ装置はポリッシュされた水を生産し、ＥＤＩ装置により浸透水の純度レベルより高い純度レベルまでポリッシュされる。ＥＤＩ装置は、製品水の抗菌作用を有し、とりわけＥＤＩ装置内の電界により、水中の細菌およびエンドトキシンの量を減少させることができる。１つの実施形態において、ＥＤＩ装置は、７０〜２１０ｍｌ／分の製品水を生産する容量を有する。したがって、ＥＤＩ装置の容量は、生産された水の流量の限界を設定する。
【００８２】
混合床フィルタ装置は、混合床イオン交換材料を有する列又は容器を含む。
【００８３】
本明細書では、製品水とも呼ばれるポリッシュされた水は、その後、浄水装置３００の製品水ポート１２８から製品水の使用点まで送達される準備が整う。製品水は透析、すなわち透析用水に適している。１つの実施形態において、製品水は注射用水である。一実施形態では、ウォーターライン５６を含むディスポーザブルセット４０が、製品水を使用点まで搬送するための浄水装置３００に配置されている。任意に、浄水装置３００は、ドレンポート１１８を備える。１つの例示的な実施形態において、ドレンポート１１８は、浄水装置３００内の第１ドレン経路３８４を介して浄水装置３００のドレン３３９にさらに搬送するために、例えばＰＤ患者からドレンライン６４を介して液体を受け取るために使用される。さらなる選択肢として、ドレンポート１１８は、浄水装置３００内、例えば第１ドレン経路３８４に配置された導電率センサにさらに搬送するために、調製済み混合溶液の試料を受け取る。ディスポーザブルセット４０は、ここに滅菌された滅菌フィルタ７０ａ、７０ｂが配置されており、浄水装置３００から製品水をろ過し、注射用水としての製品水の品質を確保するためのものである。
【００８４】
このように、蓄積バッグ６６内に収集された製品水は、バクテリア及びエンドトキシンを除去するために、すなわち無菌製品水を生産するために、ディスポーザブルセット４０の１つ又は複数の無菌化グレードフィルタを通過した。１つの実施形態によれば、滅菌滅菌グレードフィルタは余剰である。
【００８５】
無菌製品水を蓄積バッグ６６に集めることによって、浄水装置３００とサイクラー２０は圧力に関して分離され、その結果、無菌滅菌グレードフィルタを通して水を押し出すのに必要な高圧がサイクラー２０に影響を及ぼさないようになる。
【００８６】
浄水装置３００の制御部１１２は、浄水装置３００を異なる動作状態、例えば、スタンバイ、接続、アイドル、稼働及びメンテナンスに設定するように配置されている。浄水装置３００は、サイクラー２０からの指令に作用するように配置されている。
【００８７】
浄水装置３００は、使用していないが電源オンの場合、スタンバイ状態に設定される。
【００８８】
スタンバイにおいて、浄水装置３００は、接続又はメンテナンスの指令を待つ。
【００８９】
異なる状態の主なステップが説明される。例えば、フローセンサーの比較、流路が漏れないことなどの試験のような、リスク軽減のために実行されるステップは省略される。
【００９０】
接続状態
接続状態中、システムはセンサを試験し、ＥＤＩ装置をチェックして、アイドル状態に進む命令が受信された時点でシステムが準備されていることを確認する。接続状態は、例えば治療前部１６０内の一定のコンポーネントのフラッシングも含むことができる。
【００９１】
患者はまた、一般的に、前処理モジュール１６０の後に位置するサンプリングポートで、入ってくる水のサンプルを採取するように求められる。このサンプルでチェックされているのは、次亜塩素酸塩、クロラミン、塩素を含む塩素のレベルが許容レベル以下であることである。
【００９２】
接続状態のすべてのステップが実行されると、システムは準備が整う。
【００９３】
アイドル状態
この状態では、浄水装置３００は、戻り流体導電率測定（新たに調製した透析液を試験する場合）又はサイクラー２０からの新たな供給製品水要求のいずれかを待っている。
【００９４】
この状態では、浄水装置３００は、製品水を送達するために自身を準備することができる。その後、浄水装置３００は、製品水の生産を開始するが、製品水を生産物ポート１２８から送り出す代わりに、製品水が安定した導電率レベルを得るまで、製品水をタンク３５０に再循環させ、ＲＯ装置はＲＯ装置３０１にとっての所望の作業点で作動している。
【００９５】
浄水装置３００は、偶発的に水経路を再循環し、水生産段階の立ち上げ時間を最小限にする。
【００９６】
アイドル状態は、例えば前処理モジュール１６０内の一定のコンポーネントのフラッシングも含むことができる。
【００９７】
稼働状態
稼働状態では、浄水装置３００は、ディスポーザブルセットの蓄積バッグ６６に製品水（例えば、サイクラー２０によって要求される容量）を供給する。
【００９８】
提案された技術は、図４ａ、図４ｂおよび図５を参照して、さらに詳細に記述されるであろう。
【００９９】
図４ａは、ＲＯ装置３０１を含む浄水装置３００を示す。図４ａは概念図のみであり、浄水装置３００の提案された技術に関連する部分のみを図示していることに留意されたい。図６に関連して、例示的な浄水装置３００およびその動作のより詳細な例示を提供する。
【０１００】
図４ａの浄水装置３００は、ＲＯ装置３０１、タンク３５０、ＲＯポンプ４５０、給水経路３９０、再循環経路３７５、浄水経路３７１、制御装置３０５ａ、温度センサ３０３、圧力センサ３０８、流量センサ３０９、ヒータ３０２、流量センサ３８０、製品水ポート１２８及び制御部１１２からなる。
【０１０１】
ＲＯ装置３０１は、浄水流と廃棄流を生産するように配置されている。より詳細には、ＲＯ装置３０１は、ＲＯ膜３２４、供給口３０１ａ、浄水出口３０１ｂおよび廃棄出口３０１ｃを含む。ＲＯ膜３２４は、供給口３０１ａと廃棄出口３０１ｃを、浄水出口３０１ｂから分離する。廃棄流は、第１の廃棄経路３８５ｂ内および／又は浄水装置３００のドレン３３９内に向けられる。第１の廃棄経路３８５ｂは、廃棄出口３０１ｃおよび給水経路３９０に流体的に接続されている。
【０１０２】
給水経路３９０は、供給水を供給口３０１ａに搬送するように配置されている。給水経路３９０は、供給口３０１ａに流体的に接続されている。
【０１０３】
タンク３５０は、水を集めるための給水経路３９０内に配置される。より具体的には、タンク３５０は、外部水源から水を受け入れ、供給口３０１ａに水を供給するように配置されている。いくつかの実施形態によれば、タンク３５０は任意であり、これは図４ａの破線で示されている。
【０１０４】
ＲＯポンプ４５０は、給水経路３９０内に配置されており、給水を供給口３０１ａに送り出す。ＲＯポンプ４５０は、（存在する場合）タンク３５０の下流に配置される。ＲＯポンプ４５０は、浸透水流の一定の流量に対応する一定のポンプ速度に制御されるように構成されている。ＲＯ膜３２４の浸透性は、供給水の温度が上昇するにつれて増大するので、ポンプ速度と流量と間の関係は、供給口３０１ａに供給される水の温度、ひいてはＲＯ膜３２４の温度に依存する。
【０１０５】
製品水ポート１２８は、例えば、専用のラインセットを介して、例えば透析装置に製品水を供給するように配置されている。滅菌グレードフィルタ（図示せず）は、典型的には、浄水装置３００の外側に設定された線、製品水ポート１２８の下流に位置する。
【０１０６】
再循環経路３７５は、ＲＯ装置３０１の下流の第１点からＲＯ装置３０１の上流の第２点まで、浄水流の一部を再循環するように配置されている。より具体的には、再循環経路３７５は、加熱浄水をＲＯ装置３０１の下流の点から、浄水装置３００の内側の給水経路３９０に循環させるように配置されている。浄水は、タンク３５０に再循環され、再びＲＯ装置３０１の供給口３０１ａに供給される、図４ａの例にある。しかしながら、精製された水は、ＲＯポンプ４５０の上流の水管に直接再循環させてもよい。
【０１０７】
浄水経路３７１は、浄水出口３０１ｂおよび製品水口１２８に流体的に接続されている。浄水経路３７１は、浄水出口３０１ｂから製品水口１２８へ浄水を搬送するように構成されている。浄水経路３７１は、浸透水経路３７１ａと製品水経路３７１ｃを含む。ここでの製品水経路とは、製品水口１２８に最も近い浄水経路３７１の一部を指し、ここでは、圧力および流量などの流体特性が製品水口１２８と同じ（又は類似している）である。
【０１０８】
ヒータ３０２は、製品水経路３７１ｃ内を流れる製品水を加熱するように配置されている。ヒータ３０２は、例えば、ＲＯ装置３０１によって生産された浄水を加熱するように配置されたヒータである。さらに、図４ａの実施例では、ＲＯ装置３０１を離れた浄水はまた、浸透水経路３７１ａに含まれる流量センサ４１０および温度センサ３０３を通過する。
【０１０９】
浄水経路３７１は、ポリッシャー３０６、例えば、電気脱イオン化（ＥＤＩ）装置を含む。また或いは、ポリッシャー３０６は混合床フィルタ装置である。ポリッシャー３０６は、浄水経路３７１内の再循環回路３７４の下流に配置されている。このように、ポリッシャー３０６は、再循環経路３７５が浄水経路に接続されている点の下流の浄水経路３７１に配置されている。ポリッシャー３０６は、浸透水経路３７１ａおよび製品水経路３７１ｃに流体的に接続されている。換言すれば、いくつかの実施形態によれば、浸透水経路３７１ａはＲＯ装置３０１の浄水出口３０１ｂからポリッシャー３０６の入口に浄水を搬送するように配置され、製品水経路３７１ｃはポリッシャー３０６の出口から製品水口１２８に浄水を搬送するように配置されている。
【０１１０】
この開示は、製品水経路３７１ｃ内の製品水の圧力又は流量などの流体特性が、供給口３０１ａに再循環されるＲＯ装置によって生産される浸透流の部分を制御することによって制御され得るという洞察に基づいている。このような制御を可能にするために、電気的に制御可能な弁などの制御装置３０５ａが配置されている。換言すれば、制御装置３０５ａは、再循環経路３７５内の浄水の流量を調節するように配置されている。いくつかの実施形態によれば、制御装置３０５ａは、制御データを受信し、制御データに基づいて再循環される浸透流の割合を調節するように構成される。制御データは、電気信号（アナログ又はデジタル）であってよい。制御装置３０５ａは、典型的には、比例弁などの流量制御装置である。比例弁は、典型的には電気的に制御される。しかし、機械的比例弁を用いることもできる。一実施形態では、制御装置３０５ａはポンプであり、例えば、容量ポンプ又はピストンポンプのようなポジティブ変位ポンプである。
【０１１１】
上述したように、提案手法は、浄水装置を操作する際に、製品水経路３７１ｃ内の流量又は圧力などの少なくとも１つの流体特性の制御を可能にする。いくつかの実施形態によれば、提案技術は、ＲＯ膜３２４の温度又はＲＯ装置の作動点などの他の特性、例えば浸透流体特性の制御を可能にする。このような制御を可能にするためには、関連する流体特性（又は特性）を測定するか、少なくとも何らかの方法で検出又は推定する必要がある。従って、少なくとも１つの検出器は、浄水経路３７１内の浄水の流体特性を検出するように配置される。
【０１１２】
いくつかの実施形態によれば、少なくとも１つの検出器は、製品水経路３７１ｃ内の製品水の製品流体特性を検出するように配置されている。少なくとも１つの検出器は、複数の方法で実施することができる。いくつかの実施形態によれば、少なくとも１つの検出器は、少なくとも１つの製品流体特性を規定する、製品流体特性データを提供するように構成される。いくつかの実施形態によれば、制御は、浸透流体特性、例えば、浸透水経路３７１ａ内を流れる浄水流の温度などの他の特性に基づく。
【０１１３】
図４ａにおいて、少なくとも１つの検出器は、流量センサ３０９および圧力センサ３０８である。そして、流量センサ３０９によって測定された製品流体特性は、製品水経路３７１ｃ内の製品水の流量である。圧力センサ３０８によって検出される製品流体特性は、製品水経路３７１ｃ内の圧力である。さらに、温度センサ３０３は、ヒータ３０２の下流である浸透水経路３７１ａ内の浄水の温度を測定するように配置されている。
【０１１４】
制御部１１２は、典型的には、１つ又は複数のマイクロプロセッサ１１２２及び／又は特定用途向け集積回路（ＡＳＩＣ）、フィールドプログラム可能なゲートアレイ（ＦＰＧＡ）などの１つ又は複数の回路を含む。
【０１１５】
制御部１１２はまた、非一時的記憶媒体（例えば、ハードドライブ、フラッシュメモリ、光ディスクなど）及び／又は揮発性記憶装置（例えば、ダイナミック・ランダムアクセスメモリ（ＤＲＡＭ））など）などの少なくとも１つのメモリ１１２３を含むこともできる。
【０１１６】
制御部１１２はさらに、浄水装置３００の他のコンポーネントとの通信（例えば、制御データを送信してセンサデータを受信する）を可能にし、特に制御装置３０５ａおよび少なくとも１つの検出器、例えば圧力センサ３０８及び／又は流量センサ３０９との通信を可能にするように構成されたインターフェース１１２１を備える。
【０１１７】
制御部１１２は、浄水装置３００の機能を備えるように構成されている。特に、制御部１１２は、図６に関連して記載される方法を含み、本明細書に記載される提案された技術の全ての実施形態を実施するように構成される。これを達成するために、制御部１１２は、少なくとも１つの検出器から流体特性データを受信し、制御データを制御装置３０５ａに送信するように構成されている。より具体的には、制御部１１２は、少なくとも１つの検出器によって検出された流体特性に基づいて、例えば浄水経路３７１内の浄水の１つ以上の所定の基準を満たすように、再循環経路３７５内の浄水の流量を調節するように制御装置３０５ａを制御するように構成されている。流体特性は、例えば、浄水経路３７１内の任意のセンサによって測定される。
【０１１８】
いくつかの実施形態によれば、制御部１１２は、少なくとも１つの検出器、例えば圧力センサ３０８及び／又は流量センサ３０９によって検出された流体特性に基づいて、１つ以上の所定の製品水基準を満たすように、製品水経路３７１ｃにおける製品水の製品流体特性を制御するように制御装置３０５ａを制御するように構成される。換言すれば、制御部１１２は、製品水流において、一定の流体特性、例えば、一定の圧力又は流量を得るなどの１つ以上の基準を満たすために、再循環経路３７５内の水の流量を制御するように構成されている。
【０１１９】
上述したとおり、異なる製品流体特性が制御されうる。したがって、製品水の判定基準は、１つ以上のの規制条件を含んでいる可能性がある。ここではいくつかの例を挙げる。これらは単独又は組み合わせて使用され得ることが理解されなければならない。最も単純な形態では、少なくとも１つの製品水の判定基準は、１つの条件のみを含む。
【０１２０】
第１の例では、制御の目標は、一定の製品水流量を達成することである。制御基準は、次に、製品水ポート１２８を通る一定の製品水流量を維持するように試みるであろう。製品水ポート１２８を通る流量は、典型的には、製品水経路３７１ｃ全体と同じ（又は少なくとも約同じ）である。従って、いくつかの実施形態によれば、所定の基準は、製品水経路３７１ｃにおける製品水の流量が、所定の流量、例えば１５０ｍｌ／ｍｉｎ又は２５０ｍｌ／ｍｉｎに相当することを含む。製品水の一定流量が得られる可能性がある場合には、一定量の製品水を生産するのにどれくらいの時間がかかるかを推定することは容易である。
【０１２１】
例えば、浄水装置３００は、所定の時間帯に一定の製品水流量を有する製品水を生産するように制御され得る。言い換えると、いくつかの実施形態によれば、制御回路は、所定量の水を生産するために、予め決定された時間帯に製品水ポート１２８を通る所定の流量を得るように制御装置３０５ａを制御するように構成されている。所定の量は、例えば０．５〜４００リットルである。所定の量は、１回又は数回の透析治療に必要な量に相当し得る。例えば、浄水装置３００は、０．５、１、２、５、１０、２０、５０、７０、９０、１５０、２００、２５０、３００又は４００リットルの浄水を生産するように制御され得る。
【０１２２】
第二の例では、制御の目標は、限定された又は制御された製品水圧力を達成することである。製品水経路３７１ｃ内の製品水の圧力は、典型的には最大許容レベルを超えてはならない。最大許容レベルは、例えば、浄水装置又はポリッシャー３０６の内部又は関連しているフィルタなどのハードウエアが損傷していないことを保証するためであろう。言い換えると、いくつかの実施形態によれば、所定の上限圧力レベルは、少なくとも１つのフィルタ（例えば、滅菌グレードフィルタ）又は製品水経路３７１ｃに配置された他の任意のコンポーネントの圧力許容レベルに対応する。従って、いくつかの実施形態によれば、所定の基準は、製品水経路３７１ｃ内の製品水の圧力が所定の上限圧力レベル未満に留まることを含む。
【０１２３】
所定の基準の典型的な実施は、例えば、制御装置３０５ａを制御して、製品水経路３７１ｃ内の製品水の圧力が所定の上限圧力レベルより低いままである限り、製品水経路３７１ｃ内の製品水の所定の流量を得ることを試みることを含むことができる。圧力が所定の上限圧力レベルに達した場合、制御装置３０５ａは、代わりに、制御装置を制御して、製品水経路内の製品水の流量が所定の流量を下回った場合であっても、圧力をそのレベルに保つようにする。
【０１２４】
上述のように、所定の製品水圧力に対する処理能力は、経時的に小さくなるであろう。再循環経路３７５内で浸透物のどれだけが再循環されるかを制御することによって、製品水圧力を連続的に増加させて、そのような挙動を補償することができる。言い換えると、いくつかの実施形態によれば、所定の製品水基準は、製品水経路３７１ｃ内の製品水の圧力が圧力レベルに対応することを含む。製品水経路３７１ｃ内の圧力レベルは、例えば、製品水ポート１２８を通る予想される処理能力に対応することができ、従って、経時的に変化する（典型的には増加する）ことがある。
【０１２５】
第３の例では、制御の目標は、例えば、ＲＯ装置３０１（少なくとも部分的に浸透水経路３７１ａに含まれると考えられる）又はポリッシャー３０６のような、浸透水経路３７１ａ又はポリッシャー水経路３７１ｂ（図６）、内のハードウェアコンポーネントのような浄水装置３００内の１つ以上のハードウェアコンポーネントの一定の作業点を維持することである。作動点は、例えば、一定の圧力、一定の流量又は一定の温度である。次に、作業点を一定の間隔内に保つために、作業点基準が典型的に定式化される。
【０１２６】
例えば、ＲＯ装置３０６の直接下流の浸透水経路３７１ａ内流量又は水圧は、流量センサ４１０を用いて測定（又は推定）される。原則として、浸透水経路３７１ａ又はポリッシャー水経路３７１ｂのいずれかの検出器を使用してもよい。
【０１２７】
次いで、ＲＯ装置内の圧力（特にＲＯ膜の膜貫通圧力）又はポリッシャー３０６を通過する流量などの浸透流体特性が、制御装置３０５ａを用いて制御され得る。
【０１２８】
換言すれば、いくつかの実施形態によれば、制御部１１２は、少なくとも１つの検出器、例えば温度センサ３０２又は流量センサ４１０によって検出された浸透流体特性に基づいて、浸透水経路３７１ａ内の浸透水の浸透流体特性（例えば、ＲＯ膜３２４又はポリッシャー３０６の作業点基準を満たすため）を制御して、１つ以上の所定の浸透水基準を満たすように制御装置３０５ａを制御するように構成される。
【０１２９】
第４の例では、目標は、浄水装置３００のＲＯ膜３２４の作動温度を、例えば、流入口３９９を通して供給される流入水の温度（図３）又は周囲の温度とは無関係に、一定の温度に保つことである。ＲＯ膜３２４の処理能力および精製特性のような作業特性は、典型的にはＲＯ膜３２４の温度に依存するので、恒温が一般的に望ましい。ＲＯ膜３２４を通過する水の温度を一定に保つことによって、ＲＯ膜の恒常的な作動温度を達成することができる。ＲＯ膜３２４を通過する水の温度は、ＲＯ装置３０１の直接下流、すなわちヒータ３０２の上流の浸透水経路３７１ａ内の浄水の温度と（少なくとも基本的には）同じである。この温度は、流入ポート３９９に供給される入口水の温度（図３）、再循環経路３７５内で再循環される加熱水の割合、および再循環水の温度、すなわちヒータ後の浄水の温度などのいくつかの要因に依存する。
【０１３０】
ヒータ３０２前の浄水の温度とヒータ３０２後の浄水の温度との関係は、熱力学と次式を用いて計算することができる。
【０１３１】
【数１】
2020524591.tif 000003
【０１３２】
式においてＰはヒータ３０２の出力（ワット）であり、Ｑはヒータ３０２を通る流量［ｌ／ｓ］  （これは、ＲＯ膜３２４を通る流量と同じである）であり、Ｔ２はヒータ３０２の下流の浄水の温度であり、Ｔ＿ＲＯはヒータ３０２の上流の温度である（すなわち、ＲＯ膜３２４を通る水の温度）。従って、ΔＴは、ヒータ３０２の上流の水とヒータ３０２の下流の水との間の温度差、すなわちΔＴ  ＝  Ｔ２−Ｔ＿ＲＯである。さらに、ｃｐは水の熱容量である。熱容量又は熱容量は、測定可能な物理量であり、温度変化を生じさせる、物体に加えられた（又は取り除かれた）熱の比に等しい。水の熱容量は４，１９ｋＪ／Ｋである。例えば、ＲＯ膜３２４を通る流量Ｑが２１０ｍｌ／分（すなわち、０．００３５  ｌ／秒）であり、浸透水経路における浄水の温度Ｔ２が８５℃であり、加熱出力Ｐが２００Ｗである場合、ＲＯ膜の得られる温度は次のように推定される。
【０１３３】
【数２】
2020524591.tif 000004
【０１３４】
浸透水経路３７１ａ内の浄水の温度Ｔ２は、温度センサ３０３を用いて測定してもよい。このように、ヒータ３０２の出力ＰとＲＯ膜３２４を通る流量Ｑが知られていることから、ＲＯ膜３２４の温度、又はむしろＲＯ膜３２４を通る水の温度を、浸透水経路における浄水の測定温度Ｔ２から推定することができる。
【０１３５】
例えば、ヒータ３０２の出力とヒータを通る流量Ｑが一定に保たれている間に、浸透水経路３７１ａ内の浄水の温度Ｔ２の変化が検出された場合、ＲＯ膜３２４を介する給水の温度が、例えば、流入水の温度の変化又は周囲の温度の変化に起因して変化したことは指標となる。
【０１３６】
一定に維持するという目標を達成する１つの方法は、次に、ヒータによって供給される出力Ｐを調節すること（すなわち、再循環水の温度を制御すること）、又は浸透水経路３７１ａ内の浄水の温度Ｔ２の測定変化に応じてヒータ３０２を通る流量Ｑを変化させることである。ヒータ３０２（およびＲＯ膜３２４）を流れる水の流量Ｑは、ＲＯポンプ４５０のポンプ周波数を変化させることによって制御され得る。しかしながら、いくつかの実施形態においては、水のバッチごとに１つのポンプ周波数を使用することが望ましい。
【０１３７】
Ｔ＿ＲＯを一定に維持するという目標を達成するもう一つの方法は、再循環経路３７５で再循環される加熱水の量を変化させることである。例えば、より加熱された水が再循環した場合、タンク３５０内の水の温度は上昇するであろう。これは、次に、供給口３０１ａを介して供給される供給水の温度を上昇させ、その結果、ＲＯ膜３２４を通過する水の温度Ｔ＿ＲＯも上昇させるであろう。
【０１３８】
以上のことから、ＲＯ膜３２４を通過する水の温度Ｔ＿ＲＯは、式１を用いて、浸透水経路３７１ａ内の浄水の測定温度Ｔ２から推定することができる。次いで、制御装置３０５ａを制御して、再循環経路内で再循環される浸透流の割合を調節することによって、ＲＯ膜３２４を通過する水の温度Ｔ＿ＲＯを一定に保つことができる。例えば、再循環経路で再循環される浸透流の割合は、ＲＯ膜３２４を通過する水の推定温度Ｔ＿ＲＯが一定に保たれるように持続的に調整してもよい。
【０１３９】
換言すれば、いくつかの実施形態によれば、制御部１１２は、温度センサ３０３によって検出された温度に基づいて、ＲＯ膜３２４を流れる水の温度Ｔ＿ＲＯを制御するように制御装置３０５ａを制御するように構成されている。典型的には、制御部１１２は、予め定められた温度基準が満たされるように温度Ｔ＿ＲＯを制御するように制御装置３０５ａを制御するように構成されている。基準は、例えば、ＲＯ膜３２４を流れる水の温度Ｔ＿ＲＯが所定の間隔内に保たれることを含む。
【０１４０】
このように、制御装置３０５ａは、ＲＯ膜３２４後の水の温度を所定の温度又は所定の温度間隔内に保つように制御され得る。
【０１４１】
３番目および４番目の実施例は、上記実施形態と組み合わせて利用され得るとともに、製品水経路３７１ｃにおける製品水の製品流体特性を制御することを意図された製品水の基準に対応し得る。次に、最適な制御のために、圧力、流量および温度に関する異なる基準を組み合わせる必要がある（例えば、優先順位付けおよび重み付け）。
【０１４２】
代替の実施形態では、これらの（第３および第４の）実施形態は、上記の実施形態とは独立している。そして、制御部１１２は、その後、１つ以上の所定の製品水基準を満たすために（少なくとも同時にではない）製品水経路３７１ｃ内の製品水の製品流体特性を制御するために制御装置３０５ａを制御するように構成されず、代わりに、温度センサ３０３によって検出された温度に基づいて、ＲＯ膜３２４を流れる水の温度を制御するために例えば制御装置３０５ａのみを制御するように構成されてもよい。
【０１４３】
いくつかの実施形態によれば、制御部は、少なくとも１つの検出器、例えば圧力センサ３０８及び／又は流量センサ３０９によって検出された少なくとも１つの製品流体特性の変化に応じてアラーム機能を起動させるように構成される。例えば、所定の上限圧力レベルを超えるというリスクを最小限にするために、制御部１１２は圧力センサによって測定された圧力が所定の上限圧力レベルを超えた場合にアラームをトリガするように構成されてもよい。
【０１４４】
アラームは重大な又は突然の圧力低下又はその類似に応じてトリガされ、これは不具合の指標として役立つであろう。例えば、滅菌グレードフィルタのようなフィルタにおけるブレークスルーは、圧力低下をもたらし、それによって、製品水経路３７１ｃにおける製品水の圧力低下および流量増加をもたらす可能性がある。これらの事象は整合しないため、制御部１１２はこのような状況でアラームを発すること可能性がある。
【０１４５】
別の例では、浄水装置３００と滅菌グレードのフィルタ７０ａ、７０ｂとの間のシステムからの漏れは、製品水経路３７１ｃ内の製品水の圧力の低下をもたらすことになる。漏れは、アラームのトリガとなるべき重度のエラーでもあるだろう。
【０１４６】
換言すれば、いくつかの実施形態によれば、制御部１１２は、圧力センサ３０８によって測定された圧力変化及び／又は流量センサ３０９によって測定された流量変化に応じてアラーム機能を起動するように構成されている。
【０１４７】
図４ｂは、一実施例による浄水装置３００の制御部１１２の機能を示す。この例では、制御部は、流量制御器１１２ａおよび圧力制御器１１２ｂを含むカスケード制御配列を含む。カスケード制御配列では、２つ（又はそれ以上）の制御器があり、そのうちの１つの制御器の出力が別の制御器の設定点を駆動する。
【０１４８】
この例では、流量制御器１１２ａは、圧力制御器１１２ｂの設定点を駆動して、製品水経路３７１ｃ内の製品水の所定の流量を得るものである。換言すれば、流量制御器１１２ａは、流量センサ３０９によって測定された製品水経路３７１ｃ内の製品水の流量と基準流量ｆｒｅｆ、例えば２００ｍｌ／ｍｉｎとに基づいて、圧力制御器１１２ｂへの第１の制御データｄ１を生産する。
【０１４９】
圧力制御器１１２ｂは、圧力が予め定められた圧力レベル、例えば３００ｋＰａを超えない限り、流量制御器１１２ａが要求している設定点と流量を一致させるように制御装置３０５ａを順次駆動する。換言すれば、圧力制御器１１２ｂは、圧力センサ３０８によって測定された製品水経路３０１ｃ内の製品水の圧力と第１の制御データｄ１に基づいて第２の制御データｄ２を生産する。次に、圧力制御器１１２ｂは、第２の制御データｄ２を用いて制御装置３０５ａを制御する。
【０１５０】
設定点を駆動する制御器（上記例の流量制御器１１２ａ）は、プライマリ、アウター、又はマスタコントローラと呼ばれる。設定点（例では圧力制御器１１２ｂ）を受信する制御器は、セカンダリ、インナー又はスレーブコントローラと呼ばれる。内側ループの制御ループ周波数は、典型的に外側ループよりも高いことができる。例えば、圧力制御器１１２ｂの制御ループ周波数は１０Ｈｚである。
【０１５１】
ここでは、図５のフローチャート、および他の図の例示的な実施形態を参考にして、浄水を生産する浄水装置３００内の少なくとも１つの流体特性を制御するための対応する方法について説明する。
【０１５２】
この方法は、典型的には、浄水装置３００の制御部１１２で行われる。方法は、プログラムコードとして実装され、制御部１１２内のメモリ１１２３に保存されてもよい。このように、方法の工程は、命令を含むコンピュータプログラムの中で定義することができ、これは、プログラムがコンピュータ、例えば制御部１１２によって実行されると、コンピュータに方法を実行させる。従って、方法の工程は、コンピュータ読取可能な媒体、例えば、ＵＳＢメモリスティックのような着脱可能なメモリ内にも定義することができる。コンピュータ読取可能な媒体は、次いで、命令を含み、コンピュータによって実行されると、コンピュータにその方法を実行させる。
【０１５３】
典型的なシナリオでは、浄水装置が稼働状態にあり、浄化装置が製品水を例えば透析装置に供給する場合に方法が実施される。しかしながら、提案された方法は、製品水が送達されない場合、接続又はアイドルの状態で実施されてもよいが、代わりに、図６に記載されているように、追加の再循環経路３８１内で再循環されてもよいことを認識しなければならない。
【０１５４】
本方法は、浄水経路３７１において、浄水の少なくとも１つの流体特性を検出する工程Ｓ１を含む。
【０１５５】
いくつかの実施形態によれば、検出する工程Ｓ１は、浄水経路３７１の製品水経路３７１ｃにおける製品水の少なくとも１つの製品流体特性を検出することを含む。上述したように（図４ａ）、製品水経路３７１ｃは、再循環経路３７５の下流に配置される。本工程は、製品水経路における製品水の圧力および流量のような製品流体特性が測定されることを示唆する。典型的には、対応するセンサ３０８、３０９は、方法を実行する制御部１１２に提供されるセンサデータを生産する。
【０１５６】
この方法はさらに、少なくとも１つの検出された流体特性に基づいて、浄水経路３７１内の浄水の１つ以上の所定の基準を満たすように、再循環経路３７５内の水の流量を調節する工程Ｓ２ことを含む。
【０１５７】
いくつかの実施形態によれば、調節する工程Ｓ２は、少なくとも１つの検出された製品流体特性に基づいて、製品水経路３７１ｃ内の製品水の１つ以上の所定の製品水基準を満たすように、再循環経路３７５内の水の流量を調節することを含む。別の言い方をすると、一定の種の製品流体特性を制御するために、再循環経路３７５内の水の流量が調整される。
【０１５８】
代替的には、調節する工程Ｓ２は、少なくとも１つの検出された生産物流動特性に基づいて、浸透水経路３７１ａ内の浸透水の１つ以上の所定の浸透水基準を満たすように、再循環経路３７５内の水の流量を調節することを含む。浸透水の基準の一例は、浸透水が一定の圧力又は温度を有することである。
【０１５９】
例えば、再循環経路３７５内の水の流量は、製品水経路３７１ｃ内の製品水の流量が一定又は所定間隔内になるように調整される。換言すれば、いくつかの実施形態によれば、少なくとも１つの製品流体特性は、製品水経路３７１ｃ内の製品水の流量を含み、そのとき、所定の製品水基準は製品水経路３７１ｃ内の製品水の流量が所定の流量に相当することを含む。
【０１６０】
別の例では、再循環経路３７５内の水の流量は、製品水経路３７１ｃ内の製品水の圧力が閾値を超えないように調整される。言い換えると、いくつかの実施形態によれば、少なくとも１つの製品流体特性は、製品水経路３７１ｃ内の製品水の圧力を含む。次に、所定の製品水基準は、製品水経路３７１ｃ内の製品水の圧力が所定の上限圧力レベル以下に留まることを含む。
【０１６１】
検出する工程Ｓ１および調節する工程Ｓ２は、通常、稼働状態において持続的に実施される。従って、少なくとも１つの検出器、例えば圧力センサ３０８および流量センサ３０９によって検出される全ての変更は、調節する工程Ｓ２をトリガすることができる。別の言い方をすると、本方法は、浄水装置３００が浄水を生産している間に、検出する工程Ｓ１および調節する工程Ｓ２を持続的に実行することを含む。所定の上限圧力レベルは、例えば、製品水経路３７１ｃを流れる製品水、又は製品水経路３７１ｃ内に、又は製品水経路３７１ｃから所定の距離内に配置される他の任意のコンポーネントをろ過するように配置された少なくとも１つのフィルタの圧力許容レベルに相当する。
【０１６２】
いくつかの実施形態によれば、本方法は、少なくとも１つの製品流体特性の変化に応じたアラーム機能を起動する工程Ｓ３を含む。言い換えれば、検出によって一定の変化、例えば、急激な圧力の増減が明らかになった場合、これは、図４ａに関連して上記に例示されているように、潜在的なエラーの指標と見なされ得る。このような状況では、潜在的なエラーについてユーザにアラートするアラーム機能がトリガされる可能性がある。アラームは、音、点滅しているライト、又はユーザに送られたり表示されたりするテキストメッセージである可能性がある。
【０１６３】
場合によっては、一定の温度の製品水を生産することが望ましいこともある。温度は、例えば、浄水装置３００が浄水を送達することを要求される透析装置によって要求される。その後、製品水の温度を適宜制御することができる。従って、いくつかの実施形態によれば、本方法は、製品水経路３７１ｃ内を流れる製品水の温度を制御する工程Ｓ４を含む。これは、ヒータ３０２を用いて加熱することによって行うことができる。温度は事実上どんなものにも設定できますが、範囲は２０〜３５℃に制限されることがある。
【０１６４】
製品水の流量が持続的に検出された場合、その量が流量の積分値に相当するので、製品水経路３７１ｃを通過した水の量を計算することも可能である。いくつかの実施形態によれば、制御は、生産時間期間の持続時間と生産時間帯の間に検出された浄水の対応する流量に基づく生産時間期間中に生産される製品水の量を推定する工程Ｓ５を含む。生産時間帯は、典型的には、生産が開始された時点から生産が終了するまでの時間、又は生産が進行中の場合、すなわち生産が終了していない場合には、現在までの時間に相当するであろう。
【０１６５】
２つ目のシナリオ、すなわち生産が進行中の場合、望ましい量の製品水が生産されたときに、アラーム又は通知のような所定の処置がトリガされ得る。所望の量は、例えば、ユーザによって指定され、ユーザインターフェースを介して入力され得る。言い換えると、いくつかの実施形態によれば、本方法は、量が一定の生産量に達したときの所定の処置を引き起こす工程Ｓ６することを含む。処置としては、生産を停止する、添付の透析装置に知らせる、アラームを鳴らす、などが考えられる。
【０１６６】
いくつかの実施形態によれば、制御は、所定の量の水を生産するために所定の時間帯の間に所定の流量を得るために、製品水ポート１２８を通る浄水の流体特性を制御することを含む。予め定められた量は、例えば０．５〜４００リットルである。予め定められた量は、例えば、１回の透析治療に必要な量に相当する場合もあれば、複数回の治療に相当する場合もある。
【０１６７】
以上のように、ＲＯ膜３２４の作動温度をかなり一定に保つことも望ましいと考えられる。従って、幾つかの実施形態によれば、方法は、浄水経路に配置されたヒータ３０２の下流の浄水経路３７１内の水温を測定することを含む。そして、調節する工程Ｓ２は、温度センサ３０３によって検出された温度に基づいて、ＲＯ膜３２４を流れる水の温度Ｔ＿ＲＯが所定の温度基準を満たすように、再循環経路内の水の流量を調節することを含む。上述のように、いくつかの実施形態において、調節は、本明細書に記載される他の実施形態と組み合わせて、又は独立して、このようにして行うことができる。
【０１６８】
図６は、いくつかの実施形態による浄水装置３００の実施例をより詳細に示す。他の実施形態では、浄水装置３００は、より少ない又は多くのコンポーネント又はモジュールを含むことができる。
【０１６９】
図６の浄水装置３００は、患者の家庭から携行可能又は飲むことが可能な水の持続的供給源などの水源３９８から水を受け取る（図３）。様々な実施形態では、浄水装置３００は、本明細書で議論されるように、水源３９８にアクセスできる部屋に設置してサイクラー２０にＷＦＰＤを提供することができる。水は、浄水装置３００に送達される前に、粒子プレフィルタ３３４を用いて任意にろ過され、汚物および沈殿物が除去される。水は、水流入口３３３を介して浄水装置３００に入る。前述したように、浄水装置３００は、前処理部１６０、ＲＯ部１７０および後処理モジュール１８０を含む。前処理モジュール１６０は、さらに汚染物および不純物を除去するために、粒子フィルタおよび活性炭フィルタ、すなわち活性炭床を含む。粒子フィルタ及び活性炭フィルタは、フィルタパッケージ３３１で具現化される。フィルタパッケージ３３１はディスポーザブルパッケージである。前処理モジュール１６０は、入口弁３３２と、フィルタパッケージ３３１の上流にある定常流装置３３０とを含む。入口弁３３２は、制御部１１２の制御下で、供給水流入を制御する。定常流装置３３０は、水圧が入口弁３３２のための最小圧力以上であることを提供して、タンク３５０に一定の流量を提供する。
【０１７０】
さらに、前処理モジュール１６０は、サンプリングポート出口３２９ａを備えたサンプリング弁３２９、タンク弁３２８、前処理導電率センサ３２７、およびフィルタパッケージ３３１の下流にある給水温度センサ３２６を備える。サンプリングポート出口３２９ａは、給水から試料を採取すること、例えば、塩素レベルを試験することを可能にする。タンク弁３２８は、ろ過された供給水のタンク３５０への流れを制御する。前処理導電率センサ３２７は、ろ過された給水の導電率を監視し、給水温度センサ３２６は、ろ過された給水の温度を監視する。例えば、濾過された給水の導電率測定をキャリブレーションするためには、濾過された給水の温度が必要である。記載されたコンポーネントは、給水経路３９０に含まれる。給水経路３９０は、水流入口３３３に接続され、タンク３５０で終わる。入口弁３３２及びタンク弁３２８は、浄水装置３００の制御部１１２によって制御されるように構成されている。前処理モジュール１６０における水軟化は、石灰軟化、イオン交換樹脂、又は当技術分野で公知であるポリリン酸塩のような抗鱗屑剤を用いて、代替的に、又は追加的に達成することができる。フィルタパッケージ３３１は、いくつかの実施形態において、必要とされず、かつ存在しない可能性があることは認識されるべきである。
【０１７１】
上述したように、ＲＯモジュール１７０は、タンク３５０、ＲＯポンプ４５０およびＲＯ装置３０１からなる。ＲＯ装置３０１は、図４ａを参照して、既に詳細に記載されており、さらなる説明のために、その説明を参照する。濾過された（又は濾過されていない）供給水は、例えば、タンク３５０の上部からタンク３５０に入る。給水はタンク３５０に蓄積され、ＲＯポンプ４５０によってＲＯ装置３０１の供給口３０１ａ（図５−７参照）に送り込まれる。
【０１７２】
タンク３５０には空、低および高レベルスイッチ３５０ａ、３５０ｂ、３５０ｃが設けられており、浄水装置３００の制御部１１２上で稼働するコンピュータプログラムは、タンク３５０の充填時に開放される入口弁３３２およびタンク弁３２８の開閉を制御するように構成されており、タンク３５０内の水位が制御部１１２に接続されたその高レベルスイッチ３５０ｃを作動させると閉じられる。入口弁３３２は、水位がタンク３５０の低レベルスイッチ３５０ｂ未満に下がると再び開くため、制御部１１２に接続された低レベルスイッチをトリップする。タンク３５０内の水位が高すぎる場合、過剰な水は、タンクエアベン線３２５およびタンクエアベント３３５（オーバーフロー接続）を介して、例えば、トレイ４２０又はドレン３３９に排出される。タンクエアベント３３５は、浄水装置３００の外部からアクセス可能である。タンク通気孔３３５は、例えば、浄水装置３００の搬送中に閉じてもよく、その結果、タンク３５０内の水がトレイ４２０に流れ、水を浄水装置３００から流出するのを防ぐようにする。
【０１７３】
制御部１１２は、タンク３５０内の空レベルスイッチ３５０ａが空又は危機的に低い水位を検出した場合、ＲＯポンプ４５０にポンプ機能を停止させるように構成されている。ＲＯポンプ４５０は、ＲＯ装置３０１で行われる逆浸透プロセスに必要な水流と圧力を提供するように構成されている。例えば、図４ａを参照して前述したように、ＲＯ装置３０１は、水を濾過して、その浸透水出口３０１ｂに浄水を供給する。排水口３０１ｃでＲＯ装置３０１を離れる水を廃棄する（水消費を節約するためにＲＯポンプ４５０にフィードバックされてもよいし、代わりにドレン３３９にポンプされてもよい）。
【０１７４】
ＲＯ装置３０１を出た浄水は、製品水ポート１２８を介して出力される前に、浄水装置３００内の浄水経路３７１内で搬送される。浄水経路３７１は、（図４ａのように）浸透水経路３７１ａ、ポリッシャー水路３７１ｂおよび製品水経路３７１ｃからなる。ポリッシャー３０６はバイパス経路３７１ｄを介してバイパスしてもよい。バイパス経路３７１ｄは、ポリッシャー３０６の上流の水路、ここではＥＤＩ装置、およびＥＤＩ装置の下流の水路に接続される。ＲＯ装置３０１を離れる浄水は、流量センサ４１０、ヒータ３０２、および浸透水経路３７１ａに含まれる浸透温度センサ３０３を通過する。流量センサ４１０は、ＲＯ装置３０１を離れる浄水の流量を監視する。ヒータ３０２は、制御部１１２の制御下で加熱し、ＲＯ装置３０１を離れる浄水である。浸透温度センサ３０３は、ヒータ３０２の直接下流にＲＯ装置３０１を離れる浄水の温度を監視する。追加の導電率センサ３０４は、ＲＯ装置３０１を離れる浄水の導電率を監視する。
【０１７５】
ヒータ３０２、浸透温度センサ３０３および導電率センサ３０４の下流で、浄水はポリッシャー水路３７１ｂを介して後処理モジュール１８０に入る。後処理モジュール１８０は、ポリッシャー３０６を含む。三方弁３０５ｃは、制御部１１２によって制御されて、ポリッシャー３０６又はポリッシャー３０６をバイパスするためのバイパス経路３７１ｄのいずれかに浄水流を選択的に導くように配置されている。ポリッシャー３０６装置は、製品水を生産するように構成されている。製品チャネル弁３０７は、ポリッシャー３０６からの製品水経路３７１ｃ内の製品水の流量を調節する。濃縮水径路３７７ｃは、ポリッシャー３０６から液体をタンク３５０に戻すように配置されている。
【０１７６】
製品水は、製品水ポート１２８に通され、さらに、それに接続されたディスポーザブルセット４０のウォーターライン６４（６４ａ、６４ｂ）に通され、ケア地点まで搬送される。ディスポーザブルセット４０は、２つの滅菌滅菌フィルタ７０ａ、７０ｂを備える。滅菌滅菌フィルタ７０ａ、７０ｂは、製品水ポート出口１２８を出た製品水をろ過して注射に適した滅菌済み製品水にする。いくつかの代替実施形態によれば、それらのフィルタは外されるか、又はフィルタの数が２以下又はそれ以上である。
【０１７７】
ドレンポート１１８は、ドレン３３９への第１ドレン経路３８４を規定する。ディスポーザブルセット４０のドレンライン５６は、使用されたＰＤ流体などの水をドレンポート１１８からドレン３３９に通すために、ドレンポート１１８に接続されている。ここで第１のドレン経路３８４は、浄水装置３００の内部に存在するサイクラードレン経路の一部を具体化する。第１ドレン経路３８４は、導電率センサ３３６、ドレン経路温度センサ３１５およびドレンライン弁３４１を含む。導電率センサ３３６は、ドレン経路内の水の導電率を測定するように構成されている。温度センサ３１５は、第１ドレン経路３８４内の水の温度を測定するように配置されている。ドレンライン弁３４１は、制御部１１２の制御下にあり、導電率センサ３３６を介して第１ドレン経路３８４内の流量を調節するように配置されている。第１ドレン経路３８４は、導電率センサ３３６、ドレン経路温度センサ３１５およびドレンライン弁３４１をバイパスするように配置されたバイパス経路３８４ａをさらに含む。バイパス経路３８４ａは、弁３４０を含む。弁３４０は、バイパス経路３８４ａを通る流れを調節するように配置されている。
【０１７８】
図４ａのように、制御装置３０５ａは、ヒータ３０２、浸透温度センサ３０３および追加の導電率センサ３０４の下流の点から配置された再循環経路３７５内の浄水の流量を制御し、タンク３５０に戻るように構成されている。製品水圧力センサ３０８は、ポリッシャー３０６の下流の製品水経路３０１ｃ内の製品水の圧力を監視するように配置されている。図４ａのように、流量センサ３０９は、ポリッシャー３０６の下流にある製品水の流量を監視するように配置されている。製品水の圧力および流量は、制御部１１２に供給される。制御部１１２は、制御装置３０５ａの動作を制御するように構成されている。より具体的には、制御部は、製品水の流量を所望の流量に、製品水の圧力を所望の圧力に制御するために、製品水の圧力および流量に基づいて、再循環経路３７５内の水の流量を調節するように構成されている。制御装置３０５ａは、例えば、再循環経路３７５内の水の流量を細かく調節するように構成された電動式流量制御弁である。
【０１７９】
製品水弁３０５ｄは、制御部１１２の制御下で、生産物の流量を、製品水ポート１２８に行くか、又は追加の再循環経路３８１を介してタンク３５０に戻るかを制御するように配置されている。排出弁３９６は、追加の再循環経路３８１内の水の流量を制御するように配置されている。追加の再循環経路３８１は、エアトラップチャンバ３１９を介して製品水経路３７１ｃに流体的に接続されている。製品水導電率センサ３１２は、エアトラップチャンバ３１９の上流にある製品水の導電率を監視するように配置されている。製品水温センサ３１３は、エアトラップチャンバ３１９の上流にある製品水の温度を監視するように構成されている。
【０１８０】
動作において、流体経路３８５ａを介してＲＯ装置３０１を出る廃棄水の一部は補助定常流装置３１８を通過し、これは制御部１１２の制御下にある三方弁３０５ｂ（例えば、三方ソレノイド弁）に廃棄された水の定常流を提供する。廃棄された水の残りの部分は、第一廃棄経路３８５ｂ内の弁３２０（例えば、手動のニードルバルブ）を介してＲＯポンプ４５０に戻る。三方弁３０５ｂは、ドレン３３９か、又は第２のドレン経路３８８を介してタンク３５０に戻すか、又は第２の排水経路３８９を介してタンク３５０に戻すかのいずれかに、廃棄された水を選択的に切り換えるように構成されている。バイパス経路３８５ｆは、補助定常流装置３１８をバイパスするように配置されている。流量制御装置３２１は、制御装置１１２の制御によってバイパス経路３８５ｆ内の流量を制御するように配置されている。
【０１８１】
処理が完了すると、浄水装置３００は、ディスポーザブルラインセット４０の接続外れ（例えば、サイクラー２０が受け取ったメッセージに応じて）の準備を整え、製品水ポート１２８とドレンポート１１８を外側から覆い、同時に製品水ポート１２８とドレンポート１１８を経路４０１ａで接続する蓋（図示せず）を閉じ、加熱された流体が製品水ポート１２８からドレンポート１１８に流入し、さらに第１ドレン経路３８４を介してドレン３３９に流入することができるようにする。
【０１８２】
図６の浄水装置３００に関連して記載された全てのメータおよびセンサは、制御部１１２にそれらに対応する信号を送るように構成された幾つかの実施形態にある。
【０１８３】
可能な限り、浄水装置３００のコンポーネントを保護し、信頼性を高め、細菌の増殖を防止するために、浄水装置３００によって洗浄のためのハードウエア及びプログラムが提供される。
【０１８４】
浄水装置３００はまた、微生物増殖阻害薬剤を含む容器３９２を含む。微生物学増殖阻害薬剤は、クエン酸のような洗浄液を調製するために使用され、いくつかの実施形態において水路に導入される。図示のように、容器３９２は、浄水装置３００の入口３９２ａと流体連絡している。図６では、ライン３８２は、浄水装置３００の水路に容器３９２を接続する。代替的に、容器３９２は、サイクラー２０で作動するディスポーザブルカセット４２に直接つながるライン（図示せず）を介して接続されてもよいし、ウォーターライン６４に接続されてもよいし、ドレンライン５６に接続してもよい。
【０１８５】
容器３９２内の微生物学的増殖を阻害する薬剤は、クエン酸、クエン酸、乳酸、酢酸、又は塩酸（又はそれらの組合せ）のような、適切な生理学的に安全な酸であってよい。一実施形態では、容器３９２は、クエン酸、クエン酸塩又はその誘導体を含む。容器３９２はまた、酸と一緒に提供される添加物（クエン酸と一緒など）を含み得ることに留意される。化学注入口３９２ａは、例えば、浄水装置３００の前部に位置する。有無センサ（図示せず、例えば光センサ）は、容器３９２が化学注入口３９２ａに接続されたときを感知するように配置されている。制御部１１２の制御下にある三方弁３１７は、化学薬品注入口３９２ａにおいて、化学薬品注入ポンプ３１６である第２のポンプ、およびタンク３５０に向かって開くように配置されている。化学薬品注入ポンプ３１６は、消毒液をタンク３５０に供給するように配置されている。光センサは、洗浄又は消毒液の供給源が接続されているか、又は接続されていないかを検出するために配置されている。容器３９２が外されるか、又は光センサによって検出されない場合、化学薬品注入ポンプ３１６は停止するか、又は活性化されず、三方弁３１７は化学物質入口３９２ａの方に閉じられる。制御部１１２の制御下にある三方弁３１７は、化学的消毒、洗浄および／又はリンスの段階の間に、水および消毒剤をタンク３５０からおよびそれへ再循環させるために使用することもできる。化学薬品注入ポンプ３１６と弁３１０は、三方弁３１７と製品水経路３７１ｃを流体的に接続する経路３７９内に配置されている。弁３１０は、経路３７９内の流れを制御するように配置されている。
【０１８６】
より詳細な消毒段階の例では、化学消毒が開始されると、タンク３５０内のレベルは低レベルスイッチ３５０ｂの直上のレベルに調整される。制御部１１２は、空レベルスイッチ３５０ａが空気の存在を示すまでＲＯポンプ４５０を開始させ、稼働させる。次に、ＲＯポンプ４５０が停止され、入口弁３３２が開放される。入口弁３３２は、空レベルスイッチ３５０ａが水があることを示すまで開いたままである。その後、化学薬品注入ポンプ３１６は、予め設定された量の化学物質溶液がタンク３５０に挿入されるまで実行される。タンク３５０内のレベルが予め決定されたレベルに達すると、三方弁３１７がドレン３３９を開く。ＲＯポンプ４５０は、化学物質摂取段階の間に流路内の水を循環させ、乱流を作り出し、消毒時間および接触を増加させるために２方向に作動することができる。摂取段階の終わりに、廃棄バイパス弁３２１が開放され、三方弁３０５ｂが作動して、第二ドレン経路３８８を開いてドレン３３９を排出し、ローレベルスイッチ３５０ｂでタンク３５０内の水位をそのローレベルまで排出する。
【０１８７】
記載された前処理モジュール１６０、ＲＯモジュール１７０および後処理モジュール１８０は、単一の浄水キャビネット１１０ａの外側に例えばヒンジ付きで取外し可能に配置されているフィルタパッケージ３３１を除き、単一の浄水キャビネット１１０ａの内側に囲まれる。その後、フィルタパッケージ３３１は、消耗したときに交換され得る。代替の実施形態では、モジュールを別々のユニットに配置することができる。上述のように、浄水は、浄水装置３００からウォーターライン６４を介してディスポーザブルセット４０に送られる。図１を参照すると、ウォーターライン６４は、ディスポーザブルセット４０のカセット４２のウォーターポート２８２に浄水を供給する。水線６４は、一実施形態では、浄水装置３００の製品水ポート１２８に接続された第一端と、サイクラー２０のウォーターポート２８２に接続された第二端とを有する柔軟な管である。水管６４は、長さが少なくとも２メートルであり、１つの実施形態においては、４メートルよりも長いことができる。水管６４は、浄水装置３００を、利用可能な水源を有する部屋に設置し、一方、サイクラー２０は、患者が居住する異なる部屋、例えば寝室に設置することを可能にする。水管６４は、それに応じて、浄水装置３００をサイクラー２０に接続するのに必要な限り長くてもよい。
【０１８８】
図６はまた、ディスポーザブルセット４０が、浄水装置３００のドレン３３９に、使用された透析液などの水を導くように配置されたドレンライン５６の構成を含むことを示す。ドレンライン５６は、例えば、サイクラー２０のカセット４２に接続された第一端と、浄水装置３００のドレンポート１１８に接続されたドレンラインコネクタ５８（図１）を含む第二端とを有するチューブである。ドレンライン５６は、代替的に、長さが２メートルを超えてもよく、４メートルを超えているいくつかの実施形態では、柔軟なチューブであってもよい。ドレンライン５６は、浄水装置３００とサイクラー２０との間を接続するために必要な限り長くてもよい。図示の実施形態におけるウォーターライン６４およびドレンライン５６は、デュアルルーメンチューブを用いて平行に走る。また、浄水装置３００とサイクラー２０は、水路６４とドレンライン５６を含む同一の２ライン水路が例えば０．５メートル未満になるように、近接して配置されることも可能である。さらに、デュアルルーメン水線６４とドレンライン５６が図示されている間に、水線６４とドレンライン５６が別々であることが可能である。
【０１８９】
水トレイ４２０は、浄水装置３００の下に配置される。水トレイ４２０の底部に液体センサ３７０が配置され、浄水装置３００からの漏れを検出する。
【０１９０】
本開示は、上記の好ましい実施態様に限定されるものではない。種々の代替、改変および等価物が使用され得る。したがって、上記の実施形態は、添付の請求項によって定義される開示の範囲を限定するものとはみなされるべきではない。
【図１】
2020524591.tif 000005
【図２】
2020524591.tif 000006
【図３】
2020524591.tif 000007
【図４ａ】
2020524591.tif 000008
【図４ｂ】
2020524591.tif 000009
【図５】
2020524591.tif 000010
【図６】
2020524591.tif 000011
【国際調査報告】
2020524591.tif 000012
2020524591.tif 000013